(57)【要約】【課題】  リュウズの操作位置に関わらず指針修正の操作性に優れた電磁修正方式の電子時計を提供する。【解決手段】  時間基準源２、時計回路３、この時計回路３の時刻情報を表示する表示部６、この表示部６を駆動するモータ５ａ、５ｂ、表示部６が表示する時刻表示を修正するためのリュウズ１０を有し、このリュウズ１０の軸方向位置を検出するリュウズ位置検出スイッチＳ３、Ｓ４と、リュウズ１０の回転状態を検出するリュウズ回転検出スイッチＫ３、Ｋ４と、リュウズ位置に基づいてリュウズ回転信号の計測条件を可変し、この計測条件によって計測された計測情報に基づいて時計回路３の時刻情報の修正量を可変する修正制御部２０と、を備える構成とした。【選択図】      図１
2008134129.tif 000002
【特許請求の範囲】
【請求項１】
時間基準源からの基準信号を計時する時刻計時手段と、該時刻計時手段の時刻情報を表示する時刻表示手段と、該時刻表示手段を駆動する駆動手段と、前記時刻計時手段の時刻情報を手動操作によって修正するためのリュウズと、を備える電子時計であって、
前記リュウズの軸方向位置を検出してリュウズ位置信号を出力するリュウズ位置検出手段と、
前記リュウズの回転状態を検出してリュウズ回転信号を出力するリュウズ回転検出手段と、
前記リュウズの軸方向位置に応じて前記リュウズ回転信号の計測条件を可変し、該可変された計測条件によって計測される前記リュウズ回転信号の計測情報に基づいて前記時刻計時手段の時刻情報の修正量を可変する修正制御手段と、
を備えることを特徴とする電子時計。
【請求項２】
前記修正制御手段は、前記リュウズの軸方向位置に応じて前記リュウズ回転信号の計測条件であるタイマ時間を可変するタイマ設定手段と、前記タイマ時間内で前記リュウズ回転信号の発生回数を計測する計測手段と、前記計測手段からの計測情報に基づいて前記時刻計時手段の時刻情報の修正量を可変する修正信号発生手段と、
を備えることを特徴とする請求項１記載の電子時計。
【請求項３】
前記修正制御手段は、前記リュウズの軸方向位置に応じて前記リュウズ回転信号の計測条件であるクロック信号の周波数を可変するクロック設定手段と、前記クロック信号によって前記リュウズ回転信号の周期を計測する計測手段と、前記計測手段からの計測情報に基づいて前記時刻計時手段の時刻情報の修正量を可変する修正信号発生手段と、
を備えることを特徴とする請求項１記載の電子時計。
【請求項４】
前記修正信号発生手段は、前記計測手段からの前記計測情報の変化に基づいて前記修正量が可変される修正信号を出力し、該修正信号によって前記時刻計時手段の時刻情報が修正されることを特徴とする請求項２、又は３に記載の電子時計。
【請求項５】
前記修正信号発生手段は、前記計測手段からの前記計測情報の変化に基づいて前記修正量が少なくとも２段階に区分された修正信号を出力し、該区分された修正信号によって前記時刻計時手段の時刻情報が修正されることを特徴とする請求項２、又は３に記載の電子時計。
【請求項６】
前記修正制御手段は、前記リュウズ位置検出手段によって検出される前記リュウズの軸方向位置に基づいて、前記修正信号が前記時刻計時手段の時刻情報を修正するための修正桁を選択することを特徴とする請求項１乃至５のいずれか１項に記載の電子時計。
【請求項７】
前記修正制御手段は、前記駆動手段の駆動中に前記リュウズ回転信号を検出したならば、前記時刻計時手段の時刻情報の前記修正桁を１ステップ修正する前記修正信号を出力し、前記駆動手段の駆動終了後に前記修正信号によって前記駆動手段を駆動することを特徴とする請求項１乃至６のいずれか１項に記載の電子時計。
【請求項８】
前記リュウズ回転検出手段は、前記リュウズの１回転に対して５乃至２０個の前記リュウズ回転信号を出力することを特徴とする請求項１乃至７のいずれか１項に記載の電子時計。
【請求項９】
当該電子時計は、指針表示式時計であることを特徴とする請求項１乃至８のいずれか１項に記載の電子時計。
【発明の詳細な説明】
【技術分野】
【０００１】
本発明は、時刻を電磁修正する電子時計の改良に関する。
【背景技術】
【０００２】
従来、電子時計の時刻修正、特に指針を用いた指針表示式電子時計の時刻修正は、機械的な修正機構によって行われていたが、時計の小型化薄型化やコスト削減、及び、故障防止対策あるいは電子カウンタと指針を同期させる必要のある電波時計等により、リュウズと電気的なスイッチを組み合わせて、モータを早送りして針合わせを行う電磁修正機構を備えた電子時計が開示されている（例えば、特許文献１参照）。
【０００３】
この特許文献１などで開示されている電子時計の修正機構は、リュウズの回転操作に連動する電気的スイッチ、この電気的スイッチからのスイッチ信号の時間間隔を測定するスイッチ間隔測定回路、この測定回路からのスイッチ間隔測定データに基づいて個数及び周波数の異なる信号を出力する修正信号出力回路、修正信号に基づいてパルスモータを駆動する駆動回路、修正信号出力回路を制御する修正信号制御回路などによって構成される。
【０００４】
この従来の電子時計は、リュウズの回転の速さに比例して段階的に修正パルス数を増加させるので、電磁修正であっても、機械的なリュウズの指針修正の操作感覚に近い修正を実現出来ることが示されている。
【０００５】
また、他の従来例として、手動操作に対応して制御パルスを発生する第１の手段と、制御パルスに基づいて手動操作の遅速を検出し、手動操作の早さに応じたパルスを発生する第２の手段を備え、第１の手段は、リュウズに結合される回転体と回転体上に配設した複数の電極と、この電極に接離する接片とからなる電子時計の修正機構が開示されている（例えば、特許文献２参照）。この従来の電子時計の修正機構は、手動操作速度に対応して修正のパルス数を変化させるので、時計の時刻修正が容易であり、操作性に優れていることが示されている。
【０００６】
【特許文献１】特開昭５８−６８６８５号公報（第２頁、第１図）
【特許文献２】特開昭５３−１３９５７３号公報（第２頁、第２図）
【発明の開示】
【発明が解決しようとする課題】
【０００７】
しかしながら、従来の指針表示式電子時計の修正機構は、リュウズの軸方向の操作位置に関わりなく、リュウズの回転量や回転速度だけで修正量を決定していた。しかし、電子時計の手動操作部材であるリュウズは、外装に近接した通常位置と、外装から軸方向に１段引き出す１段引き位置と、外装から２段引き出す２段引き位置などがあり、リュウズの操作位置によって外装との近接距離が異なるために、使用者がリュウズを指で操作するときの操作性に大きな違いが生じている。
【０００８】
図１７は、従来の指針表示式電子時計のリュウズの操作位置を説明している。図１７において電子時計の外観は、時刻を表示する指針を備えた表示部６、表示部６を覆う外装７、リュウズ１０などで成る。ここで、リュウズ１０の通常位置は、図示するように外装７の凹部７ａにリュウズ１０の一部分が嵌め込まれるように配置されており、この状態でリュウズ１０を操作しようとすると、リュウズ１０を摘まむ指（図示せず）が外装７に妨げられてリュウズ１０を摘まむことが難しく操作性が非常に悪い。また、リュウズ１０の１段引き位置では、リュウズ１０は外装７から多少離れた位置にあるので操作性はやや良く
なり、また、リュウズ１０の２段引き位置では、リュウズ１０は外装７から最も離れた位置にあるので操作性は良好となる。
【０００９】
ここで例えば、電子時計の使用者が図示する通常位置でリュウズ１０を操作して指針を修正する場合、通常位置ではリュウズ１０を摘まむことが難しいために、使用者がリュウズ１０を回して指針を連続的に動かそうとしても、リュウズ１０が思うようには回転せず、指針が僅かしか進まないといった不具合が生じ易い。
【００１０】
また、リュウズは操作位置ごとに修正内容が切り替えられ、例えば、リュウズの２段引きの操作位置で秒分針修正を行う場合は、比較的多くの修正パルスを必要とする場合が多いが、リュウズの通常位置で時差修正のために時針修正を行う場合などでは、少ない修正パルスで十分である場合が多い。
【００１１】
このように、従来の電子時計は、リュウズの操作位置によって操作性が大きく異なるという欠点があり、また、リュウズの操作位置によって切り替えられる修正内容に適した修正が必要である。しかし従来のように、リュウズの操作位置に関わりなくリュウズの回転量や回転速度だけで修正量を決定すると、操作位置によっては使用者の意思に反して指針が動く結果となり、操作性が悪く使用者に違和感やイライラ感を与えて、電子時計の使用上大きな問題がある。特に近年の腕時計はデザイン性が優先されることによって、リュウズの通常位置ではリュウズの大部分が外装に嵌め込まれるような場合が多くあり、リュウズの通常位置での操作性向上は重要な課題である。
【００１２】
本発明の目的は上記課題を解決し、リュウズの操作位置に関わらず指針修正の操作性に優れた電磁修正方式の電子時計を提供することである。
【課題を解決するための手段】
【００１３】
上記課題を解決するために、本発明の電子時計は、下記記載の構成を採用する。
【００１４】
本発明の電子時計は、時間基準源からの基準信号を計時する時刻計時手段、この時刻計時手段の時刻情報を表示する時刻表示手段、この時刻表示手段を駆動する駆動手段、時刻計時手段の時刻情報を手動操作によって修正するためのリュウズを備える電子時計であって、リュウズの軸方向位置を検出してリュウズ位置信号を出力するリュウズ位置検出手段と、リュウズの回転状態を検出してリュウズ回転信号を出力するリュウズ回転検出手段と、  リュウズの軸方向位置に応じてリュウズ回転信号の計測条件を可変し、この可変された計測条件によって計測されるリュウズ回転信号の計測情報に基づいて時刻計時手段の時刻情報の修正量を可変する修正制御手段と、を備えることを特徴とする。
【００１５】
これにより、リュウズの軸方向の各操作位置に適した時刻情報の修正量をリュウズの回転状態に基づいて可変するので、操作位置によって操作性が異なるリュウズの欠点を補い、操作が容易で使い易い電子時計を提供することが出来る。
【００１６】
また、修正制御手段は、リュウズの軸方向位置に応じてリュウズ回転信号の計測条件であるタイマ時間を可変するタイマ設定手段と、タイマ時間内でリュウズ回転信号の発生回数を計測する計測手段と、計測手段からの計測情報に基づいて時刻計時手段の時刻情報の修正量を可変する修正信号発生手段と、を備えることを特徴とする。
【００１７】
これにより、リュウズの操作位置に基づいて可変されるタイマ時間内で計測されるリュウズ回転信号によって時刻情報の修正量が可変されるので、操作位置ごとに適切な修正量を選択することが可能となり、操作が容易で使い易い電子時計を提供することが出来る。また、リュウズの回転状態がタイマ時間内での発生回数によって計測されるので、回転状
態の瞬間的な変化に対しては修正量が段階的に変化し、違和感の無い確実な時刻修正が実現出来る。
【００１８】
また、修正制御手段は、リュウズの軸方向位置に応じてリュウズ回転信号の計測条件であるクロック信号の周波数を可変するクロック設定手段と、このクロック信号によってリュウズ回転信号の周期を計測する計測手段と、計測手段からの計測情報に基づいて時刻計時手段の時刻情報の修正量を可変する修正信号発生手段と、を備えることを特徴とする。
【００１９】
これにより、リュウズの操作位置に基づいて可変されるクロック信号で計測されるリュウズ回転信号によって時刻情報の修正量が可変されるので、操作位置ごとに適切な修正量を選択することが可能となり、操作が容易で使い易い電子時計を提供することが出来る。また、リュウズの回転状態がリュウズ回転信号の周期（すなわち、時間間隔）で計測されるので、回転状態の瞬間的な変化を素速く計測出来、レスポンスの良い時刻修正が実現出来る。
【００２０】
また、修正信号発生手段は計測手段からの計測情報の変化に基づいて修正量が可変される修正信号を出力し、この修正信号によって時刻計時手段の時刻情報が修正されることを特徴とする。
【００２１】
これにより、リュウズの回転状態の変化に応じて時刻情報の修正量が可変されるので、使用者の意思に沿った修正が可能となり、使い易い電子時計を提供することが出来る。
【００２２】
また、修正信号発生手段は計測手段からの計測情報の変化に基づいて修正量が少なくとも２段階に区分された修正信号を出力し、この区分された修正信号によって時刻計時手段の時刻情報が修正されることを特徴とする。
【００２３】
これにより、リュウズの回転状態の変化に応じて時刻情報の修正量を少なくとも二つに区分して修正されるので、使用者の意思に沿ったきめ細かな修正が可能となり、使い易い電子時計を提供することが出来る。
【００２４】
また、修正制御手段は、リュウズ位置検出手段によって検出されるリュウズの軸方向位置に基づいて、修正信号が時刻計時手段の時刻情報を修正するための修正桁を選択することを特徴とする。
【００２５】
これにより、リュウズの軸方向の操作位置によって選択される修正桁（すなわち、分の桁や時の桁など）に応じて修正量を可変出来るので、修正桁に適したきめ細かな修正量の設定が可能となり、操作性に優れた電子時計を提供出来る。
【００２６】
また、修正制御手段は、駆動手段の駆動中にリュウズ回転信号を検出したならば、時刻計時手段の時刻情報の修正桁を１ステップ修正する修正信号を出力し、駆動手段の駆動終了後に修正信号によって駆動手段を駆動することを特徴とする。
【００２７】
これにより、駆動手段が駆動中であってもリュウズ回転信号を検出して修正信号を出力するので、駆動手段の駆動終了後に駆動手段を追加駆動することが出来、リュウズの回転状態に合わせて使用者の意思に沿った修正が可能となり、使い易い電子時計を提供することが出来る。
【００２８】
また、リュウズ回転検出手段は、リュウズの１回転に対して５乃至２０個のリュウズ回転信号を出力することを特徴とする。
【００２９】
これにより、リュウズの回転状態をきめ細かく検出出来るので、微妙なリュウズの回転に対しても指針の修正を確実に行うことが出来る。
【００３０】
また電子時計は、指針表示式時計であることを特徴とする。
【００３１】
これにより指針表示式時計の電磁指針修正を、メカ式修正のリュウズ操作に近い操作感覚で行うことが出来るので、操作性に優れた使い易い指針表示式の電子時計を提供することが出来る。
【発明の効果】
【００３２】
上記の如く本発明によれば、リュウズの軸方向の各操作位置に適した時刻情報の修正量をリュウズの回転状態に基づいて可変するので、操作位置によって操作性が異なるリュウズの欠点を補うと共に、メカ式修正のリュウズ操作に近い操作感を得ることが出来、操作性に優れた使い易い電子時計を提供することが出来る。
【発明を実施するための最良の形態】
【００３３】
以下図面により本発明の実施の形態を詳述する。図１は本発明の実施例１の電子時計の構成を示す回路ブロック図である。図２（ａ）は本発明の実施例１の電子時計の外観とリュウズの操作位置を説明する説明図である。図２（ｂ）は本発明の実施例１の閏年からの経過年と月の修正モードを説明する説明図である。図３は本発明の実施例１の電子時計のリュウズ周りの構成を示す斜視図である。図４は本発明の実施例１の電子時計のリュウズ位置検出スイッチの構成を説明する説明図である。図５は本発明の実施例１の電子時計のリュウズ回転検出スイッチの構成を説明する説明図である。図６は本発明の実施例１の電子時計のリュウズ回転検出スイッチの作用を説明する説明図である。図７は本発明の実施例１の電子時計の修正動作の概略を説明する計測ルーチンのフローチャートである。図８は本発明の実施例１の電子時計の修正動作の概略を説明する修正ルーチンのフローチャートである。図９は本発明の実施例１の電子時計のリュウズ１段引き位置での区分１及び区分２の修正動作を説明するタイミングチャートである。
【００３４】
図１０は本発明の実施例１の電子時計のリュウズ１段引き位置での区分３及び区分４の修正動作を説明するタイミングチャートである。図１１は本発明の実施例１の電子時計のリュウズ２段引き位置での修正動作を説明するタイミングチャートである。図１２は本発明の実施例１の電子時計のリュウズ通常位置での修正動作を説明するタイミングチャートである。図１３は本発明の実施例２の電子時計の構成を示す回路ブロック図である。図１４は本発明の実施例２の電子時計の修正動作の概略を説明する計測ルーチンのフローチャートである。図１５は本発明の実施例２の電子時計のリュウズ１段引き位置での区分１及び区分２の修正動作を説明するタイミングチャートである。図１６は本発明の実施例２の電子時計のリュウズ１段引き位置での区分３及び区分４の修正動作を説明するタイミングチャートである。
【実施例１】
【００３５】
まず、本発明の実施例１の電子時計の電気的な構成を図１に基づいて説明する。尚、実施例１の電子時計の特徴は、タイマによってリュウズ回転信号の発生回数を計測し、時刻計時手段の時刻情報の修正量を可変することにある。また、本実施例の電子時計は、標準電波を受信して自動的に時刻修正する電波修正時計であることを前提とする。
【００３６】
図１において、１は本発明の実施例１の電子時計である。２は時間基準源であり、水晶発振器と分周回路を含み、基準信号である１秒信号Ｐ１と制御クロック信号Ｐ２を出力する。３は時刻計時手段としての時計回路であり、１秒信号Ｐ１を入力して秒、分、時、日、月等の時刻情報を計時して記憶し、時刻情報に基づいたモータ制御信号Ｐ３を出力する
。
【００３７】
４はモータ駆動部であり、モータ制御信号Ｐ３を入力して二つのモータ駆動信号Ｐ４、Ｐ５を出力する。５ａは駆動手段として秒針と分針を駆動する秒分ステップモータ（以下、秒分モータと略す）であり、モータ駆動信号Ｐ４によって駆動される。また、５ｂは駆動手段として時針と日板を駆動する時日ステップモータ（以下、時日モータと略す）であり、モータ駆動信号Ｐ５によって駆動される。６は時刻表示手段としての表示部であり、秒針、分針、時針等によって構成されるが詳細は後述する。
【００３８】
１０はリュウズであり、リュウズ位置検出手段としての二つのリュウズ位置検出スイッチＳ３、Ｓ４と、リュウズ回転検出手段としての二つのリュウズ回転検出スイッチＫ３、Ｋ４を備えている。リュウズ位置検出スイッチＳ３、Ｓ４の一方の端子は電源Ｖｄｄに接続され、他方の端子からは、それぞれリュウズ位置信号Ｐ６、Ｐ７が出力される。また、リュウズ回転検出スイッチＫ３、Ｋ４の一方の端子は電源Ｖｄｄに接続され、他方の端子からは、それぞれリュウズ回転信号Ｐ８、Ｐ９が出力される。尚、リュウズ１０とリュウズ位置検出スイッチＳ３、Ｓ４、及び、リュウズ回転検出スイッチＫ３、Ｋ４の詳細は後述する。
【００３９】
Ｓ１はプッシュスイッチであり、リュウズ１０とは独立して配置され、一方の端子は電源Ｖｄｄに接続され、他方の端子からはプッシュスイッチ信号Ｐ１０が出力される。２０は修正制御手段としての修正制御部であり、タイマ設定手段としてのタイマ設定部２１、計測手段としての計測部２２、修正信号発生手段としての修正信号発生部２３を備えている。この修正制御部２０は、リュウズ位置信号Ｐ６、Ｐ７とリュウズ回転信号Ｐ８、Ｐ９、プッシュスイッチ信号Ｐ１０、及び、制御クロック信号Ｐ２を入力する。
【００４０】
修正制御部２０のタイマ設定部２１は、リュウズ位置信号Ｐ６、Ｐ７を入力してタイマ信号Ｐ１１を出力する。計測部２２はリュウズ回転信号Ｐ８、Ｐ９を入力し、内部のタイマによってその発生回数を計測して計測情報としての計測データＰ１２を出力する。すなわち、計測データＰ１２は、リュウズ回転信号Ｐ８、Ｐ９の発生回数を示し、その値はリュウズ１０の回転量に相当する。また、修正信号発生部２３は計測データＰ１２を入力し、時計回路３の時刻情報を修正する修正信号Ｐ１３を出力する。この修正信号Ｐ１３は、時刻情報の修正量を例えばパルス数によって表す信号である。
【００４１】
３０は標準電波を受信する超小型のアンテナである。３１は受信部であって、アンテナ３０からの受信電波を入力して微弱な標準電波を選択増幅してデジタル信号に変換し、復調信号Ｐ１４を出力する。３２は電波修正部であり、復調信号Ｐ１４を入力して解読アルゴリズムによって時刻情報フォーマットを解読し、標準時刻情報を取得して標準時刻データＰ１５を出力する。そして時計回路３は、この標準時刻データＰ１５を入力して記憶している時刻情報を標準時刻に修正する。
【００４２】
尚、電子時計１を構成する各電子回路は、一部の特殊な回路を除いてワンチップマイクロコンピュータによって構成されることが好ましい。また、本実施例では、電波修正時計として説明するが、これに限定されず、本発明は電波修正機能を持たない電子時計においても適応される。
【００４３】
次に図２（ａ）と図２（ｂ）に基づいて、本発明の実施例１の電子時計１の外観と基本操作を説明する。図２（ａ）において、電子時計１の外観は、表示部６、金属等によって成る外装７、リュウズ１０、プッシュスイッチＳ１などによって構成される。表示部６は、秒針６ａ、分針６ｂ、時針６ｃ、及び日付を表示する日板６ｄによって構成される。また、リュウズ１０は外装７の側面の３時方向に配設され、通常位置では外装７に近接し、
その一部が外装７に嵌め込まれた位置に置かれるが、使用者（図示せず）の操作によってリュウズ１０が矢印Ａの軸方向に押し引きされることにより、外装７よりやや離れた位置である１段引き位置、及び、外装７より最も離れた位置である２段引き位置に移動することが出来る。
【００４４】
また、リュウズ１０は矢印Ｂのように回転させることによって、表示部６で表示される時刻表示を修正する。尚、リュウズ１０を１２時方向に回転させることを正転、６時方向に回転させることを逆転と定義する。また、プッシュスイッチＳ１はリュウズ１０からやや離れた外装７の側面に配設され、押下することによって操作される。尚、リュウズ１０やプッシュスイッチＳ１の位置は限定されない。また、８は使用者の腕に電子時計１を装着するためのバンドである。
【００４５】
ここで、リュウズ１０とプッシュスイッチＳ１の基本操作の一例を説明する。リュウズ１０が通常位置に置かれている状態では、電子時計１は通常の運針動作を行い、時刻表示を継続する。また、リュウズ１０が通常位置でプッシュスイッチＳ１が１回押されると、電子時計１は時差修正モードに移行する。この時差修正モードでは、リュウズ１０を正転、又は逆転させることによって、時針６ｃを１時間単位で移動させて時差修正を行うことが出来る。
【００４６】
また、この電子時計１は月末無修正の時計であり、リュウズ１０を矢印Ａの軸方向に引いて１段引き位置にすると、閏年からの経過年と月の修正モードに移行する。ここで、図２（ｂ）に基づいて、閏年からの経過年と月の修正モードの操作を説明する。図２（ｂ）において、閏年からの経過年と月の修正モードでは、秒針６ａが０秒〜３秒にあるとき１２月であることを示し、秒針６ａが５秒〜８秒にあるとき１月であることを示し、秒針６ａが１０秒から１３秒にあるとき２月であることを示す。以下同様に秒針６ａの位置によって１月〜１２月までの月が表示される。
【００４７】
そして、月表示の中で、最初のステップ位置、すなわち、１２月表示のときは０秒位置、１月表示のときは５秒位置、２月表示のときは１０秒位置に秒針６ａがあるときは、その年が閏年であることを示す。また、月表示の中で、２番目のステップ位置、すなわち、１２月表示のときは１秒位置、１月表示のときは６秒位置、２月表示のときは１１秒位置に秒針６ａがあるときは、その年が閏年から１年目の年であることを示す。また、月表示の中で、３番目のステップ位置、すなわち、１２月表示のときは２秒位置、１月表示のときは７秒位置、２月表示のときは１２秒位置に秒針６ａがあるときは、その年が閏年から２年目の年であることを示す。
【００４８】
また、月表示の中で、４番目のステップ位置、すなわち、１２月表示のときは３秒位置、１月表示のときは８秒位置に、２月表示のときは１３秒位置に秒針６ａがあるときは、その年が閏年から３年目の年であることを示す。尚、３月〜１１月表示でも同様である。すなわち、閏年からの経過年と月の修正モードでは、秒針６ａの位置によって、閏年からの経過年（すなわち、閏年から何年が経過したか）と、１月から１２月までの月表示を行う。そして、この修正モードでリュウズ１０を正転させることによって、秒針６ａを各月ごとに閏年、１年目、２年目、３年目、次の月の閏年の順序で、１ステップずつ進ませることが出来る。
【００４９】
また同様に、この修正モードでリュウズ１０を逆転させることによって、秒針６ａを各月ごとに３年目、２年目、１年目、閏年、前の月の３年目の順序で、１ステップずつ逆送りで進ませることが出来る。尚、図２（ｂ）で示す秒針６ａの位置は、閏年から３年目の１２月を表している。また、３年目と閏年の間は１ステップ（１秒）空いているので、秒針６ａがこの間を動くときだけは、２ステップ（２秒）進む制御が行われる。
【００５０】
次に、図２（ａ）においてリュウズ１０を２段引き位置にすると、電子時計１は秒針６ａを早送りして００秒の位置に置き、秒分の時刻修正モードに移行する。この秒分修正モードでは、リュウズ１０を正転、又は逆転させることによって、秒針６ａを６０秒単位（すなわち、１分単位）で正転、又は逆転させて時刻修正を行うことが出来る。また、本実施例の電子時計１は、電波修正時計であり、標準電波を受信するための受信ボタン等があるが、本発明に直接関わりが無いので説明は省略する。
【００５１】
また、電波修正時計は、まず、使用を開始する前に、指針と内部の時刻情報を一致させるために、指針を基準位置（例えば、１２時００分００秒）に合わせる必要がある。この基準位置修正モードへの移行は、例えば、プッシュスイッチＳ１を１０秒以上押し続けることによって行われる。そして、基準位置修正モードでは、１段引き位置で時針６ｃの修正、２段引き位置で秒針６ａ、分針６ｂの修正を行うが、これらの修正操作は、通常の秒分の時刻修正や時差修正の操作と基本的には同様であるので説明は省略する。尚、ここで示す基本操作、及び修正方法は、一例を示すもので限定されるものではない。
【００５２】
次に図３に基づいて本実施例の電子時計１のリュウズ１０の周辺機構を説明する。図３において、１１は電子時計１の様々な構成部品を保持する略円盤状の地板である。１２はリュウズ１０の軸となる巻真であり、地板１１の側面内部に係合して配設される。１３はおしどりであり、巻真１２と係合し、巻真１２が地板１１に対して押し引きされたとき、巻真１２の軸方向の位置を決定する板状の部品である。１４はリュウズ位置スイッチバネであり、おしどり１３に固定され、巻真１２が押し引きされることによって、おしどり１３と一緒に回転される。
【００５３】
１４ａはリュウズ位置スイッチバネ接点部であり、リュウズ位置スイッチバネ１４の先端に位置し、前述したリュウズ位置検出スイッチＳ３、Ｓ４の接点として作用する。１５はスイッチ車であり、巻真１２と係合して巻真１２の回転によって回転する。１６は中立バネであり、その先端部分がスイッチ車１５の歯と噛み合い、スイッチ車１５の回転によって中立バネ１６は左右に移動する。尚、中立バネ１６は、中立バネ本体部１６ａによって支持され、この中立バネ本体部１６ａは地板１１に固定される。
【００５４】
１７はリュウズ回転スイッチバネであり、中立バネ１６に固定され、中立バネ１６の動きに応じて左右に作動する。１７ａはリュウズ回転スイッチバネ接点部であり、リュウズ回転スイッチバネ１７の先端に位置し、前述したリュウズ回転検出スイッチＫ３、Ｋ４の接点として作用する。１８はガイド板であり、中立バネ１６に接して中立バネ１６の動きをガイドする。
【００５５】
次に図４に基づいて本実施例１のリュウズ位置検出スイッチの構造と作用を説明する。図４において、リュウズ１０を操作して巻真１２を矢印Ａの方向に押し引きすると、リュウズ１０及びリュウズ１０の軸である巻真１２は、おしどり１３の作用によって、通常位置、１段引き位置、２段引き位置の三つの位置のいずれかに移動する。そして、巻真１２と係合するおしどり１３は、地板１１に固定されるピン１９を支点として巻真１２の押し引きによって図示するように回転する。
【００５６】
ここで、おしどり１３に固定されているリュウズ位置スイッチバネ１４は、おしどり１３の回転に沿って回転し、これによって、リュウズ位置スイッチバネ接点部１４ａは、図示するように、Ｈ０、Ｈ１、Ｈ２という三つの位置に移動する。すなわち、リュウズ１０が通常位置にあるときは、リュウズ位置スイッチバネ接点部１４ａは位置Ｈ０にあり、リュウズ１０が１段引き位置にあるときは、リュウズ位置スイッチバネ接点部１４ａは位置Ｈ１にあり、リュウズ１０が２段引き位置にあるときは、リュウズ位置スイッチバネ接点
部１４ａは位置Ｈ２にある。
【００５７】
また、リュウズ位置スイッチバネ接点部１４ａの上面には、図示しないが、地板１１に対して平行に回路基板が配設されており、リュウズ位置スイッチバネ接点部１４ａは、この回路基板に接しながら回路基板上を滑るようにして移動する。そして、リュウズ位置スイッチバネ接点部１４ａの位置Ｈ０に対応する回路基板上には電極は形成されておらず、位置Ｈ１と位置Ｈ２に対応する回路基板上には、それぞれ電極が形成される。
【００５８】
すなわち、位置Ｈ１に対応する回路基板上にはリュウズ位置検出スイッチＳ３の電極が形成され、リュウズ位置スイッチバネ接点部１４ａが位置Ｈ１に移動するとリュウズ位置スイッチバネ接点部１４ａとリュウズ位置検出スイッチＳ３の電極は電気的に接続される。また、位置Ｈ２に対応する回路基板上にはリュウズ位置検出スイッチＳ４の電極が形成され、リュウズ位置スイッチバネ接点部１４ａが位置Ｈ２に移動するとリュウズ位置スイッチバネ接点部１４ａとリュウズ位置検出スイッチＳ４の電極は電気的に接続される。また、リュウズ位置スイッチバネ接点部１４ａは、地板１１を通して電源Ｖｄｄが接続されている。
【００５９】
以上の構成により、リュウズ１０が通常位置にあるときは、位置Ｈ０に対応する回路基板上には電極が形成されていないので、リュウズ位置検出スイッチＳ３、Ｓ４はいずれもＯＦＦである。また、リュウズ１０が１段引き位置にあるとき、回路基板上に形成されているリュウズ位置検出スイッチＳ３の電極は、リュウズ位置スイッチバネ接点部１４ａと接触して電源Ｖｄｄに接続されるので、リュウズ位置検出スイッチＳ３はＯＮとなり、リュウズ位置信号Ｐ６が出力される。
【００６０】
また、リュウズ１０が２段引き位置にあるとき、回路基板上に形成されているリュウズ位置検出スイッチＳ４の電極は、リュウズ位置スイッチバネ接点部１４ａと接触して電源Ｖｄｄに接続されるので、リュウズ位置検出スイッチＳ４はＯＮとなり、リュウズ位置信号Ｐ７が出力される。以上の作用によって、リュウズ位置検出スイッチＳ３、Ｓ４はリュウズ１０の軸方向の位置を検出することが出来る。
【００６１】
次に図５に基づいて、本実施例のリュウズ回転検出スイッチの構成を説明する。図５において、スイッチ車１５は巻真１２と係合し、巻真１２を軸として矢印Ｂで示す両方向に回転する。中立バネ１６は、スイッチ車１５の歯と噛み合っており、スイッチ車１５の回転に応じて中立バネ１６は図面上の左右に僅かに移動する。リュウズ回転スイッチバネ１７は、中立バネ１６に固定されているので、中立バネ１６の移動によってリュウズ回転スイッチバネ１７も左右に僅かに移動する。
【００６２】
９は回路基板であり、その一部に基板孔９ａを有している。ここで回路基板９は、この基板孔９ａを中心とした断面図として示している。ここで、基板孔９ａの内側の対向する側面にはリュウズ回転検出スイッチＫ３、Ｋ４の電極が形成されている。そして、リュウズ回転スイッチバネ接点部１７ａは、この基板孔９ａの内部に置かれており、リュウズ回転スイッチバネ接点部１７ａと基板孔９ａの側面に形成されているリュウズ回転検出スイッチＫ３、Ｋ４の電極とは近接して配置される。また、リュウズ回転スイッチバネ接点部１７ａは、中立バネ１６を介して電源Ｖｄｄが接続されている。
【００６３】
以上の構成により、スイッチ車１５が巻真１２によって回転すると、リュウズ回転スイッチバネ接点部１７ａは図面上の左右に移動するので、リュウズ回転スイッチバネ接点部１７ａと基板孔９ａの対向する側面に形成されるリュウズ回転検出スイッチＫ３、Ｋ４の電極は接触し、電源Ｖｄｄに電気的に接続される。
【００６４】
すなわち、スイッチ車１５が巻真１２によって図面上で右方向に回転すると、中立バネ１６は右方向に移動し、これによってリュウズ回転スイッチバネ１７も右方向に移動する。そして、リュウズ回転スイッチバネ接点部１７ａとリュウズ回転検出スイッチＫ３の電極が接触し、リュウズ回転検出スイッチＫ３がＯＮする。また、スイッチ車１５が巻真１２によって図面上で左方向に回転すると、中立バネ１６は左方向に移動し、これによってリュウズ回転スイッチバネ１７も左方向に移動する。そして、リュウズ回転スイッチバネ接点部１７ａとリュウズ回転検出スイッチＫ４の電極が接触し、リュウズ回転検出スイッチＫ４がＯＮする。
【００６５】
次に図６に基づいて、リュウズ１０の回転を検出するリュウズ回転検出スイッチＫ３の具体的な作用を説明する。図６において、リュウズ１０の軸である巻真１２が矢印Ｃ方向（すなわち右回り方向）に回転したとすると、巻真１２と共に回転するスイッチ車１５と噛み合っている中立バネ１６は矢印Ｄ方向（すなわち図面上で右方向）に移動する。この中立バネ１６の移動によってリュウズ回転スイッチバネ接点部１７ａは、矢印Ｄ方向に引っ張る力を受け、これによって、リュウズ回転スイッチバネ接点部１７ａと、その右側に近接している回路基板９上のリュウズ回転検出スイッチＫ３の電極は図示するように接触し、リュウズ回転検出スイッチＫ３がＯＮする。
【００６６】
ここで、中立バネ１６が矢印Ｄ方向に移動すると、中立バネ１６は右側に位置するガイド板１８に接触し、中立バネ１６はガイド板１８の斜面に沿って矢印Ｅ方向にせり上がり、中立バネ１６が一定の高さまでせり上がったところで中立バネ１６の先端部とスイッチ車１５の歯の噛み合わせが外れ、中立バネ１６はスイッチ車１５の次の歯と噛み合う。ここで、中立バネ１６がスイッチ車１５の噛み合った歯から外れることによって、リュウズ回転スイッチバネ接点部１７ａを矢印Ｄ方向に引っ張る力が解除されて、リュウズ回転スイッチバネ接点部１７ａは元の位置に戻り、リュウズ回転検出スイッチＫ３の電極との接触が離れてリュウズ回転検出スイッチＫ３はＯＦＦとなる。
【００６７】
ここで、もしガイド板１８が存在しないと、中立バネ１６は矢印Ｄ方向のみに移動するので、中立バネ１６がスイッチ車１５との噛み合いから外れるには、スイッチ車１５が大きく回転しなければならず、このため、スイッチ車１５の歯数を多くすることが出来ない。すなわち、中立バネ１６はガイド板１８の働きによってスイッチ車１５の少ない回転角で外れることが出来、スイッチ車１５の歯数を多くすることが出来る。よって、中立バネ１６の動きをガイドし、中立バネ１６を矢印Ｅ方向に移動させるガイド板１８の働きは重要である。
【００６８】
尚、図６ではスイッチ車１５が図面上で右方向に回転した場合の作用を説明したが、スイッチ車１５が図面上で左方向に回転した場合は、リュウズ回転検出スイッチＫ４がＯＮ／ＯＦＦ動作を行い、その作用は同様であるので説明は省略する。
【００６９】
以上の作用によって、リュウズ回転検出スイッチＫ３、Ｋ４はスイッチ車１５の一つの歯ごとにＯＮ／ＯＦＦ動作を繰り返し、リュウズ１０の回転状態をきめ細かく検出することが出来る。尚、本実施例では、スイッチ車１５の歯数は１５枚であるので、リュウズ１０の１回転によってリュウズ回転検出スイッチＫ３、Ｋ４は１５回のＯＮ／ＯＦＦ動作を行い、リュウズ回転信号Ｐ８、又はＰ９を出力する。ここで、スイッチ車の歯数を５〜２０枚の間に設計し、リュウズ１０の１回転によって５個〜２０個のリュウズ回転信号Ｐ８、Ｐ９が出力されるならば、リュウズ１０の回転を適切に検出することが出来、また、ＯＮ／ＯＦＦ動作も確実に行えることが実験によって確かめられている。
【００７０】
次に図７と図８のフローチャートに基づいて、本発明の実施例１の電子時計の修正動作の概略を説明する。尚、説明の前提として実施例１の電子時計の構成は図１を参照し、説
明する修正動作はリュウズ１０の正転処理とする。また、本実施例のフローチャートは、図７で示す計測ルーチン１と図８で示す修正ルーチンで構成される。ここで図７において、修正制御部２０のタイマ設定部２１はリュウズ位置信号Ｐ６を入力してリュウズ位置検出スイッチＳ３がＯＮであるかを判定する（ステップＳＴ１）。ここで、肯定判定（すなわち、Ｓ３：ＯＮ）であればステップＳＴ２に進み、否定判定（すなわち、Ｓ３：ＯＦＦ）であればステップＳＴ３に進む。
【００７１】
次に、タイマ設定部２１はステップＳＴ１で肯定判定がなされたならば、リュウズ１０は１段引き位置にあるので閏年からの経過年と月の修正モードに移行し、修正桁として閏年からの経過年と月の桁が選択され、また、タイマ設定値を１８０ｍＳとしてタイマ信号Ｐ１１を出力し、次のステップに進む（ステップＳＴ２）。このとき、図２（ｂ）で前述したように秒針６ａの位置が閏年からの経過年と月を表し、リュウズ１０の回転によるリュウズ回転検出スイッチＫ３、Ｋ４のＯＮによって１秒ごとに秒針６ａが駆動され、閏年からの経過年と月が修正される。
【００７２】
また、タイマ設定部２１はステップＳＴ１で否定判定がなされたならば、リュウズ位置信号Ｐ７を入力してリュウズ位置検出スイッチＳ４がＯＮであるかを判定する（ステップＳＴ３）。ここで、肯定判定（すなわち、Ｓ４：ＯＮ）であればステップＳＴ４に進み、否定判定（すなわち、Ｓ４：ＯＦＦ）であればステップＳＴ５に進む。
【００７３】
次に、タイマ設定部２１はステップＳＴ３で肯定判定がなされたならば、リュウズ１０は２段引き位置にあるので秒分の修正モードに移行し、修正桁として分の桁が選択され、また、タイマ設定値を１２０ｍＳとしてタイマ信号Ｐ１１を出力し、次のステップに進む（ステップＳＴ４）。この秒分修正モードでは、リュウズ１０の回転によるリュウズ回転検出スイッチＫ３、Ｋ４のＯＮによって秒針６ａが６０パルス（すなわち、６０秒）ずつ駆動される。
【００７４】
また、タイマ設定部２１はステップＳＴ３で否定判定がなされたならば、リュウズ位置検出スイッチＳ３、Ｓ４は共にＯＦＦであるので、リュウズ１０は通常位置にあると判定する。そして、プッシュスイッチＳ１がＯＮされることにより時差の修正モードに移行し、修正桁として時の桁が選択され、また、タイマ設定値を２４０ｍＳとしてタイマ信号Ｐ１１を出力し、次のステップに進む（ステップＳＴ５）。この時差修正モードでは、リュウズ１０の回転によるリュウズ回転検出スイッチＫ３、Ｋ４のＯＮによって時針６ｃが２０パルスずつ駆動される。この２０パルスずつ駆動される理由は、時日モータ５ｂを２０パルス駆動することによって時針６ｃが１時間進むからである。すなわち、時差修正モードでは、１時間ずつの修正が行われる。
【００７５】
このように、タイマ設定部２１は、リュウズ１０の軸方向の操作位置を検出してタイマ時間を可変し、また、時刻情報の修正桁を選択する制御を行う。尚、このタイマ時間は、リュウズ回転信号Ｐ８、Ｐ９の発生回数を計測する計測時間であり、このタイマ時間を可変することによって、リュウズ回転信号Ｐ８、Ｐ９の計測条件が可変されることになる。
【００７６】
ここで、リュウズ１０の通常位置で最も長いタイマ時間を選択する理由は、通常位置では操作性が悪いためにリュウズ１０の回転操作が鈍くなる傾向にあり、これを補うために長いタイマ時間に設定してリュウズ回転信号Ｐ８、Ｐ９の発生回数を確実に計測するためである。また、リュウズ１０の２段引き位置で最も短いタイマ時間を選択する理由は、２段引き位置では、操作性が最も良く、リュウズ１０の回転を素速く行うことが出来るので、短いタイマ時間で計測することによって、他の操作位置との計測上のバランスを図るためである。これにより、リュウズ１０の操作位置によって操作性が異なる欠点を、計測条件を可変することによって補うことが出来る。
【００７７】
尚、本実施例では、タイマ時間をリュウズ１０の通常位置では２４０ｍＳ、１段引き位置では１８０ｍＳ、２段引き位置では１２０ｍＳに設定しているが、その値に限定されず、任意に変更して良い。また、リュウズ１０の通常位置と１段引き位置と２段引き位置のそれぞれで異なるタイマ時間を設定しているが、これに限定されない。例えば、通常位置のタイマ時間を２４０ｍＳに設定し、１段引きと２段引き位置でのタイマ時間は共に１６０ｍＳに設定するなどしても良い。
【００７８】
次に修正制御部２０の計測部２２は、タイマ設定部２１からタイマ信号Ｐ１１を入力して選択されたタイマ時間を内部のタイマに設定し、また、リュウズ回転信号Ｐ８を入力してリュウズ回転検出スイッチＫ３がＯＮされたかを判定する（ステップＳＴ６）。ここで、肯定判定（すなわち、Ｋ３：ＯＮ）であればリュウズ１０は正転方向に回転されたと判定してステップＳＴ８に進む。また、否定判定（すなわち、Ｋ３：ＯＦＦ）であればステップＳＴ７に進む。
【００７９】
次に計測部２２は、ステップＳＴ６で否定判定がなされたならば、リュウズ回転信号Ｐ９を入力してリュウズ回転検出スイッチＫ４がＯＮされたかを判定する（ステップＳＴ７）。ここで、肯定判定（すなわち、Ｋ４：ＯＮ）であればリュウズ１０は逆転方向に回転されたので逆転処理へ進む。尚、リュウズ１０の逆転処理は、時刻を遅らせて修正する以外は基本的に正転処理と同様であるので説明は省略する。また、否定判定（すなわち、Ｋ４：ＯＦＦ）であれば、リュウズ回転検出スイッチＫ３、Ｋ４は共にＯＦＦであってリュウズ１０の回転操作は行われていないので、ステップＳＴ１へ戻り、ステップＳＴ１〜ステップＳＴ７の処理を繰り返す。
【００８０】
次に計測部２２は、ステップＳＴ６で肯定判定がなされたならば、リュウズ１０は正転方向に回転されたと認識し、内部のタイマが動作継続中であるかを判定する（ステップＳＴ８）。ここで、肯定判定（すなわち、タイマ継続中）であれば、リュウズ回転検出スイッチＫ３はタイマ時間以内（例えばリュウズ１０が１段引き位置であれば１８０ｍＳ以内）に再びＯＮされたと判定してステップＳＴ９に進む。また、否定判定（すなわち、タイマ時間が過ぎてタイマは停止）であれば、リュウズ回転検出スイッチＫ３はタイマ時間以内にはＯＮされておらず、リュウズ回転検出スイッチＫ３は新規にＯＮされたと判定してステップＳＴ１０に進む。
【００８１】
次に計測部２２は、ステップＳＴ８で肯定判定がなされたならば、タイマ時間以内に再びリュウズ回転検出スイッチＫ３がＯＮされたので、リュウズ回転信号Ｐ８の発生回数である計測データＰ１２に１を加えて出力し、次の修正ルーチンへ進む（ステップＳＴ９）。
【００８２】
次に計測部２２は、ステップＳＴ８で否定判定がなされたならば、予めタイマ時間が設定されている内部タイマをスタートする（ステップＳＴ１０）。ここで、前述した如く、リュウズ１０が通常位置ならばタイマ時間は２４０ｍＳが設定され、リュウズ１０が１段引き位置ならばタイマ時間は１８０ｍＳが設定され、リュウズ１０が２段引き位置ならばタイマ時間は１２０ｍＳが設定されている。
【００８３】
次に計測部２２は、リュウズ回転検出スイッチＫ３が新規にＯＮされたので計測データＰ１２を初期化してカウント１として出力し、次の修正ルーチンへ進む（ステップＳＴ１１）。尚、計測データＰ１２のカウント１は、リュウズ回転検出スイッチＫ３が新規に１回ＯＮされたことを意味する。
【００８４】
次に図８に基づいて修正ルーチンを説明する。この修正ルーチンは、計測データＰ１２
のカウント値によって、通常の修正動作を実行するか、又は、連続運針修正モードに移行するかを決定し、それぞれの修正動作を実行する。ここで、修正制御部２０の修正信号発生部２３は計測データＰ１２を入力し、そのカウント値から連続運針修正モードに移行するかを判定する（ステップＳＴ２０）。ここで、計測データＰ１２が例えばカウント４であれば、肯定判定となって連続運針修正モードに移行するステップＳＴ２７に進み、計測データＰ１２が例えばカウント３以下であれば否定判定となって通常の修正動作であるステップＳＴ２１に進む。
【００８５】
尚、計測データＰ１２がカウント４であることは、タイマ時間以内（例えば１８０ｍＳ以内）にリュウズ回転検出スイッチＫ３が４回ＯＮされたことを意味し、それは電子時計１の使用者がリュウズ１０をかなりの速さで回転させたことによる。すなわち、電子時計の使用者がリュウズ１０をかなりの速さで回転させることによって、電子時計１は連続運針修正モードに移行する。
【００８６】
また、連続運針修正モードに移行する計測データＰ１２のカウント値は限定されず、仕様に基づいて任意に決めて良い。また、リュウズ１０の操作位置に応じて連続運針修正モードに移行するカウント値は異なる値として良い。例えば、リュウズ１０が１段引き位置では計測データＰ１２がカウント４で連続運針修正モードに移行し、また、２段引き位置では計測データＰ１２がカウント３で連続運針修正モードに移行し、また、通常位置では計測データＰ１２がカウント２で連続運針修正モードに移行するなどの制御を行って良い。
【００８７】
このように、リュウズ１０の操作位置に応じてタイマ時間を可変すると共に、連続運針修正モードに移行する計測データＰ１２のカウント値を可変することによって、修正内容に対応した連続運針修正モードへの移行や、操作位置によって操作性が異なるリュウズの欠点を補った連続運針修正モードへの移行を実現することが出来る。
【００８８】
次にステップＳＴ２０で否定判定がなされたならば、通常の修正動作に進み、修正制御部２０は、モータ駆動部４から図示しない信号を入力してモータ駆動部４がモータ駆動中であるかを判定する（ステップＳＴ２１）。ここで、肯定判定（すなわち、モータ駆動中）であればステップＳＴ２２に進み、否定判定（すなわち、モータ停止）であればステップＳＴ２４に進む。尚、モータ駆動中とは、モータ駆動部４が秒分モータ５ａ、又は時日モータ５ｂを駆動しており、表示部６が運針状態であることを示す。
【００８９】
次にステップＳＴ２１で肯定判定がなされたならば、計測部２２はリュウズ回転信号Ｐ８を入力してリュウズ回転検出スイッチＫ３がＯＮされたかを判定する（ステップＳＴ２２）。ここで、肯定判定（すなわち、Ｋ３：ＯＮ）であれば次のステップに進み、否定判定（すなわち、Ｋ３：ＯＦＦ）であればステップＳＴ２１に戻り、モータ駆動中であるかを再び判定する。
【００９０】
次にステップＳＴ２２で肯定判定がなされたならば、計測部２２はタイマ継続中のときは計測データＰ１２に１を加算する。また、タイマ停止中のときは新たにタイマをスタートし、計測データＰ１２はカウント１に初期化される（ステップＳＴ２３）。そして、ステップＳＴ２３の実行後、ステップＳＴ２０に戻り、連続運針修正モードへの移行判定を繰り返す。
【００９１】
次にステップＳＴ２１で否定判定（すなわち、モータ停止）がなされたならば、モータ駆動部４はモータの駆動を終了しているので、修正制御部２０の修正信号発生部２３は、計測部２２から計測データＰ１２を入力し、この計測データＰ１２に基づいて修正信号Ｐ１３の修正量としてパルス数を設定し、この修正信号Ｐ１３を時計回路３に出力後、次の
ステップに進む（ステップＳＴ２４）。尚、時計回路３に入力される修正信号Ｐ１３は、時刻情報を修正する修正量と共に、リュウズ１０の操作位置情報に基づいた秒分時などを示す修正桁情報も含まれる。
【００９２】
ここで、リュウズ１０の１段引き位置では、ステップＳＴ２で前述した如く、閏年からの経過年と月の修正モードであり、計測データＰ１２がカウント１であれば、例えば１パルスの修正信号Ｐ１３が時刻情報の修正桁である経過年と月の桁に加算され、計測データＰ１２がカウント２であれば、２パルスの修正信号Ｐ１３が時刻情報の修正桁である経過年と月の桁に加算され、また、計測データＰ１２がカウント３であれば、３パルスの修正信号Ｐ１３が時刻情報の修正桁である経過年と月の桁に加算される。
【００９３】
また、リュウズ１０の２段引き位置では、ステップＳＴ４で前述した如く、秒分の修正モードであり、計測データＰ１２がカウント１以上であれば、修正桁である時刻情報の分の桁を１ステップ（すなわち１分）進めるために１パルスの修正信号Ｐ１３が時計回路３の分の桁に加算される。ここで、秒分モータ５ａが駆動中にリュウズ回転検出スイッチＫ３が２回以上ＯＮされて計測データＰ１２のカウント値がカウント２以上になっても、連続運針修正モードに移行しない限り２回目以降のＯＮは失効して修正信号Ｐ１３は１パルスに設定され、時刻を連続して１分以上進めることは禁止される。このように、秒分の通常の修正動作では、連続した修正動作は禁止され、後述する連続運針修正モードの修正動作と区別される。
【００９４】
また、リュウズ１０の通常位置では、ステップＳＴ５で前述した如く、時差の修正モードであり、計測データＰ１２がカウント１以上であれば、修正桁である時刻情報の時の桁を１ステップ（すなわち１時間）進めるために１パルスの修正信号Ｐ１３が時計回路３の時の桁に加算される。ここで、時日モータ５ｂが駆動中にリュウズ回転検出スイッチＫ３が２回以上ＯＮされて計測データＰ１２のカウント値がカウント２以上になっても、連続運針修正モードに移行しない限り２回目以降のＯＮは失効して修正信号Ｐ１３は１パルスに設定され、時差を連続して進めることは禁止される。このように、時差の通常の修正動作においても、連続した修正動作は禁止され、後述する連続運針修正モードの修正動作と区別される。
【００９５】
次に時計回路３は、修正信号発生部２３からの修正信号Ｐ１３を入力し、記憶している時刻情報を修正信号Ｐ１３に従って修正し、修正された時刻情報に対応して秒分モータ５ａと時日モータ５ｂを駆動するためのモータ制御信号Ｐ３を出力する（ステップＳＴ２５）。ここで例えば、修正信号Ｐ１３が、分の桁の修正信号であれば分の時刻情報が修正されて秒分モータ５ａを駆動するためのモータ制御信号Ｐ３が出力され、また、時の桁の修正信号であれば時の時刻情報が修正されて時日モータ５ｂを駆動するためのモータ制御信号Ｐ３が出力される。
【００９６】
次にモータ駆動部４は、モータ制御信号Ｐ３に基づいてモータ駆動信号Ｐ４、Ｐ５を出力し、秒分モータ５ａ、又は、時日モータ５ｂを駆動する（ステップＳＴ２６）。ここで例えば、表示部６を１秒進めるのであれば、秒針６ａを１秒進めるために、秒分モータ５ａに対して１パルスのモータ駆動信号Ｐ４を出力する。また、表示部６を１分進めるのであれば、秒針６ａを６０秒進めるために、秒分モータ５ａに対して６０パルスのモータ駆動信号Ｐ４を出力する。これは、秒分モータ５ａを６０パルス駆動することによって秒針６ａが６０秒進み、分針６ｂが１分進むからである。
【００９７】
また、表示部６を１時間進めるのであれば、時針６ｃを１時間進めるために、時日モータ５ｂに対して２０パルスのモータ駆動信号Ｐ５を出力する。これは、前述した如く、時日モータ５ｂを２０パルス駆動することによって時針６ｃが１時間進むからである。
【００９８】
次に、ステップＳＴ２６終了後、計測ルーチン１の最初であるステップＳＴ１に戻り、再び、リュウズ位置検出スイッチＳ３、Ｓ４とリュウズ回転検出スイッチＫ３、Ｋ４の入力判定動作を継続する。
【００９９】
次に連続運針修正モードを説明する。ステップＳＴ２０で肯定判定がなされたならば、修正制御部２０は、まず連続運針準備期間に入り、リュウズ回転信号Ｐ８、Ｐ９の受付けを禁止する（ステップＳＴ２７）。
【０１００】
次に修正信号発生部２３は、リュウズ１０の操作位置に応じて所定の修正信号Ｐ１３を出力し、時計回路３の時刻情報を修正する。ここで、リュウズ１０が１段引き位置で閏年からの経過年と月の修正の場合は、例えば、８〜１２パルスの修正信号Ｐ１３を出力して閏年からの経過年と月を修正する。また、リュウズ１０が２段引き位置での秒分修正、又は通常位置での時差修正で秒分モータ５ａ、又は、時日モータ５ｂが駆動中である場合は連続運針準備期間での修正信号Ｐ１３は出力されない（ステップＳＴ２８）。
【０１０１】
次にモータ駆動部４は、連続運針準備期間において、連続運針修正モードでのモータ駆動信号Ｐ４、Ｐ５より周波数が低いモータ駆動信号Ｐ４、Ｐ５を出力してモータ駆動を実行する（ステップＳＴ２９）。ここで例えば、リュウズ１０が１段引き位置で閏年からの経過年と月の修正の場合は、連続運針修正モードでのモータ駆動信号Ｐ４、Ｐ５の周波数が６４Ｈｚであるとすると、その１／２の３２Ｈｚのモータ駆動信号Ｐ４、Ｐ５を修正信号Ｐ１３に応じて８〜１２パルス出力する。また、リュウズ１０が２段引き位置での秒分修正、又は通常位置での時差修正の場合は、連続運針修正モードでのモータ駆動信号Ｐ４、Ｐ５の周波数が６４Ｈｚであるとすると、その１／２の３２Ｈｚのモータ駆動信号Ｐ４、Ｐ５を所定の期間出力する。
【０１０２】
この連続運針準備期間を設けて連続運針修正モードでのモータ駆動信号Ｐ４、Ｐ５の周波数よりも低い周波数のモータ駆動信号Ｐ４、Ｐ５を所定の数、又は所定の期間だけ出力する理由は、連続運針修正モードに移行するときに一時的に運針スピードを遅くすることにより、使用者に連続運針修正モードに移行することを知らせるためである。
【０１０３】
次に修正制御部２０の修正信号発生部２３は、連続運針準備期間が終了すると、連続運針修正モードに移行する（ステップＳＴ３０）。この連続運針修正モードでは、それぞれの操作位置に応じて連続的に修正信号Ｐ１３を出力し時計回路３の時刻情報を連続的に修正する。例えば、リュウズ１０が１段引き位置で閏年からの経過年と月の修正の場合は、修正信号Ｐ１３を連続的に出力して時計回路３の閏年からの経過年と月の桁を連続的に加算し修正する。また、リュウズ１０が２段引き位置での秒分修正の場合は、修正信号Ｐ１３を連続的に出力して時計回路３の分の桁を連続的に加算し修正する。また、リュウズ１０が通常位置での時差修正の場合は、修正信号Ｐ１３を連続的に出力して時計回路３の時の桁を連続的に加算し修正する（ステップＳＴ３１）。
【０１０４】
次に時計回路３は、連続的に加算され修正される時刻情報に基づいてモータ制御信号Ｐ３を出力し、モータ駆動部４は、モータ制御信号Ｐ３に基づいてモータ駆動信号Ｐ４、又はＰ５を連続的に出力し、秒分モータ５ａ、又は、時日モータ５ｂを駆動して連続運針を実行する（ステップＳＴ３２）。
【０１０５】
ここで、リュウズ１０が１段引き位置で閏年からの経過年と月の修正の場合は、例えば６４Ｈｚのモータ駆動信号Ｐ４によって秒分モータ５ａを駆動し連続運針する。また、リュウズ１０が２段引き位置での秒分修正の場合は、６０パルスを一組とした例えば６４Ｈｚのモータ駆動信号Ｐ４によって秒針モータ５ａを駆動し連続運針する。また、リュウズ
１０が通常位置での時差修正の場合は、２０パルスを一組とした例えば６４Ｈｚのモータ駆動信号Ｐ５によって時日モータ５ｂを駆動し連続運針する。
【０１０６】
次に計測部２２は、リュウズ回転信号Ｐ８、Ｐ９を入力してリュウズ回転検出スイッチＫ３、又はＫ４がＯＮされたかを判定する（ステップＳＴ３３）。ここで、肯定判定であればリュウズ１０は正転又は逆転方向に操作されたと判定してステップＳＴ３４に進む。また、否定判定であればステップＳＴ３１に戻り、ステップＳＴ３１からステップＳＴ３３を繰り返し、リュウズ回転検出スイッチＫ３、Ｋ４をチェックしながら連続運針修正を継続する。
【０１０７】
また、修正制御部２０は、ステップＳＴ３３で肯定判定がなされたならば、連続運針修正モードを終了する（ステップＳＴ３４）。すなわち、修正信号Ｐ１３を停止してモータ駆動を終了し、計測ルーチン１の最初のステップＳＴ１に戻り、再び、リュウズ位置検出スイッチＳ３、Ｓ４とリュウズ回転検出スイッチＫ３、Ｋ４の入力判定動作を継続する。尚、各スイッチのＯＮを割り込み処理によって検出し、リュウズ１０が操作されない状態では通常の運針動作以外は、処理を停止していることが消費電力低減のために好ましい。
【０１０８】
ここで本発明は、図７と図８で示すフローチャートで明らかなように、リュウズ１０の軸方向の操作位置に応じてリュウズ１０の回転状態を計測する計測条件としてのタイマ時間を可変し、この可変されたタイマ時間によって計測されるリュウズ回転信号Ｐ８、Ｐ９の発生回数に基づいて時刻情報の修正量を可変し、指針を修正することが大きな特徴である。
【０１０９】
次に図９〜図１２のタイミングチャートに基づいて、本発明の実施例１の電子時計の修正動作の具体例を説明する。尚、説明の前提として実施例１の電子時計の構成は図１を参照し、説明する修正動作はリュウズ１０の正転修正であり、逆転修正は基本的に同様であるので説明は省略する。ここでまず、図９と図１０に基づいて、本実施例の電子時計１の使用者がリュウズ１０を１段引き位置にした場合の閏年からの経過年と月表示の修正モードにおける動作の一例を説明する。
【０１１０】
図９と図１０において、リュウズ１０が１段引き位置で設定されるタイマ時間は、前述した如く１８０ｍＳであるとする。そして、リュウズ１０の回転状態を示す計測情報に基づいて修正信号Ｐ１３の修正量を区分１〜区分４の４段階に区分して説明する。すなわち、区分１はリュウズ１０がゆっくり回転されてタイマ時間内でのＯＮ回数が１回の場合（ＯＮ回数：少）である。また区分２は、リュウズ１０がやや速く回転されてタイマ時間内でのＯＮ回数が２回の場合（ＯＮ回数：中）である。また区分３は、リュウズ１０が速く回転されてタイマ時間内でのＯＮ回数が３回の場合（ＯＮ回数：多）である。また区分４は、リュウズ１０が更に速く回転されてタイマ時間内でのＯＮ回数が４回となり、連続運針修正モードに移行する場合である。
【０１１１】
ここで区分１では、使用者がリュウズ１０を正転方向にゆっくり回転し、リュウズ回転検出スイッチＫ３がＯＮされると、リュウズ回転信号Ｐ８が発生する。これにより、計測部２２は１８０ｍＳのタイマＴＭ１をスタートし、計測データＰ１２はカウント１に初期化される（タイミングＴ１）。
【０１１２】
このタイミングＴ１に同期して計測部２２からカウント１の計測データＰ１２が出力され、この計測データＰ１２を入力する修正信号発生部２３から１パルスの修正信号Ｐ１３が出力される。そして、この修正信号Ｐ１３によって時刻情報が修正された時計回路３からモータ制御信号Ｐ３が出力し、モータ駆動部４から図示するように秒分モータ５ａを駆動するモータ駆動信号Ｐ４が１パルス出力される。
【０１１３】
ここで、区分１はリュウズ１０がゆっくり回転されるので、タイマＴＭ１の期間中に再びリュウズ回転検出スイッチＫ３がＯＮされることは無く、タイマＴＭ１の終了後に、リュウズ回転検出スイッチＫ３が再びＯＮされる（タイミングＴ２）。このタイミングＴ２からタイマＴＭ２が新たにスタートし、このタイミングＴ２に同期して再びカウント１の計測データＰ１２が出力され、この計測データＰ１２に基づいて時刻情報が修正された時計回路３からモータ制御信号Ｐ３が出力し、モータ駆動部４から図示するようにモータ駆動信号Ｐ４が再び１パルス出力される。
【０１１４】
すなわち、区分１では、リュウズ回転検出スイッチＫ３の１回のＯＮごとにカウント１の計測データＰ１２が出力し、この計測データＰ１２によって修正量として１パルスの修正信号Ｐ１３が出力する。これにより、１パルスのモータ駆動信号Ｐ４が出力されるので、使用者によるリュウズ１０のゆっくりとした回転操作に合わせて秒針６ａが１秒ステップごとに進み、閏年からの経過年と月の修正がゆっくり確実に実行される。
【０１１５】
次に区分２では、使用者がリュウズ１０を正転方向にやや速く回転し、リュウズ回転検出スイッチＫ３がＯＮされると、リュウズ回転信号Ｐ８が発生する。これにより、計測部２２は１８０ｍＳのタイマＴＭ３をスタートし、計測データＰ１２はカウント１に初期化される（タイミングＴ３）。このタイミングＴ３に同期して区分１の動作と同様に計測データＰ１２、修正信号Ｐ１３が出力され、時刻情報が修正された時計回路３からモータ制御信号Ｐ３が出力し、モータ駆動部４から図示するようにモータ駆動信号Ｐ４が１パルス出力される。
【０１１６】
ここで、区分２はリュウズ１０がやや速く回転されるので、タイマＴＭ３の期間中に再びリュウズ回転検出スイッチＫ３がＯＮされる（タイミングＴ４）。このタイミングＴ４から別のタイマＴＭ４が新たにスタートし、また、タイマＴＭ３の期間中にリュウズ回転検出スイッチＫ３が再びＯＮされたので、タイマＴＭ３によって計測される計測データＰ１２はプラス１加算されてカウント２の計測データＰ１２が出力され、この計測データＰ１２によって修正量として２パルスの修正信号Ｐ１３が出力する。これにより、時刻情報が修正された時計回路３からモータ制御信号Ｐ３が出力し、モータ駆動部４から図示するようにモータ駆動信号Ｐ４が２パルス出力される。また、タイマＴＭ４が新たにスタートしたので、タイマＴＭ４による別の計測データＰ１２が初期化されてカウント１となる。
【０１１７】
また、タイマＴＭ４の期間中に再びリュウズ回転検出スイッチＫ３がＯＮされる（タイミングＴ５）。ここで、タイマＴＭ４の期間中にリュウズ回転検出スイッチＫ３が再びＯＮしたので、タイマＴＭ４による計測データＰ１２はプラス１加算されてカウント２の計測データＰ１２が出力され、この計測データＰ１２によって修正量として２パルスの修正信号Ｐ１３が再び出力する。これにより、時刻情報が修正された時計回路３からモータ制御信号Ｐ３が出力し、モータ駆動部４から図示するようにモータ駆動信号Ｐ４が２パルス出力される。また、このタイミングＴ５からタイマＴＭ５が新たにスタートする。
【０１１８】
すなわち、区分２では、リュウズ回転検出スイッチＫ３の最初のＯＮで修正量として１パルスの修正信号Ｐ１３が出力され、２回目以降のＯＮでは修正量として２パルスずつの修正信号Ｐ１３が出力されるので、秒針６ａは最初に１秒進み、次からは２秒ずつ進むことになる。この結果、使用者によるリュウズ１０のやや早い回転操作に合わせて閏年からの経過年と月の修正を加速して行うことが出来る。
【０１１９】
次に図１０の区分３では、使用者がリュウズ１０を正転方向に速く回転し、リュウズ回転検出スイッチＫ３がＯＮされると、リュウズ回転信号Ｐ８が発生する。これにより、計測部２２は１８０ｍＳのタイマＴＭ６をスタートし、計測データＰ１２はカウント１に初
期化される（タイミングＴ６）。このタイミングＴ６に同期して区分１の動作と同様に計測データＰ１２、修正信号Ｐ１３が出力され、時刻情報が修正された時計回路３からモータ制御信号Ｐ３が出力し、モータ駆動部４から図示するようにモータ駆動信号Ｐ４が１パルス出力される。
【０１２０】
ここで、区分３はリュウズ１０が速く回転されるので、リュウズ回転検出スイッチＫ３はタイマＴＭ６が開始後２回ＯＮされる（タイミングＴ７、Ｔ８）。このタイミングＴ７での２回目のＯＮからタイマＴＭ７が新たにスタートし、また、タイマＴＭ６による計測データＰ１２はプラス１加算されてカウント２の計測データＰ１２が出力され、この計測データＰ１２によって修正量として２パルスの修正信号Ｐ１３が出力する。これにより、タイミングＴ７でモータ駆動部４から図示するようにモータ駆動信号Ｐ４が２パルス出力される。また、タイマＴＭ７が新たにスタートしたので、タイマＴＭ７による別の計測データＰ１２が初期化されてカウント１となる。
【０１２１】
また、タイミングＴ８での３回目のＯＮからタイマＴＭ８が新たにスタートし、また、タイマＴＭ６による計測データＰ１２はプラス１加算されてカウント３の計測データＰ１２が出力され、この計測データＰ１２によって修正量として３パルスの修正信号Ｐ１３が出力する。これにより、タイミングＴ８でモータ駆動部４から図示するようにモータ駆動信号Ｐ４が３パルス出力される。また、タイマＴＭ７による計測データＰ１２はプラス１加算されてカウント２となり、また、タイマＴＭ８による計測データＰ１２は初期化されてカウント１となる。
【０１２２】
また更に、タイマＴＭ７の期間中に３回目のリュウズ回転検出スイッチＫ３がＯＮされると、タイマＴＭ９が新たにスタートし、また、タイマＴＭ７による計測データＰ１２はプラス１加算されてカウント３が出力され、この計測データＰ１２によって修正量として３パルスの修正信号Ｐ１３が出力する（タイミングＴ９）。これにより、タイミングＴ９でモータ駆動部４から図示するようにモータ駆動信号Ｐ４が再び３パルス出力される。また、タイマＴＭ８による計測データＰ１２はプラス１加算されてカウント２となり、また、タイマＴＭ９による計測データＰ１２は初期化されてカウント１となる。
【０１２３】
以降、各タイマ時間内にリュウズ回転検出スイッチＫ３が３回ＯＮされるごとに、各タイマで計測された計測データＰ１２はカウント３が出力され、この計測データＰ１２によって修正量として３パルスの修正信号Ｐ１３が出力する。これにより、モータ駆動信号Ｐ４が３パルス出力される動作が繰り返される。
【０１２４】
すなわち、区分３では、リュウズ回転検出スイッチＫ３の最初のＯＮで修正量として１パルスの修正信号Ｐ１３が出力され、２回目のＯＮでは、修正量として２パルスの修正信号Ｐ１３が出力され、３回目のＯＮでは、修正量として３パルスの修正信号Ｐ１３が出力されるので、秒針６ａは最初に１秒進み、次に２秒進み、それ以降は３秒ずつ進む動作が継続する。この結果、使用者によるリュウズ１０の速い回転操作に合わせて、修正の速さが段階的に速くなり、この状態では１回のスイッチＯＮで３秒ずつ進み、より加速された修正ができる。
【０１２５】
次に区分４では、使用者がリュウズ１０を正転方向に更に速く回転し、リュウズ回転検出スイッチＫ３がＯＮされると、リュウズ回転信号Ｐ８が発生する。これにより、計測部２２は１８０ｍＳのタイマＴＭ１０をスタートし、計測データＰ１２はカウント１に初期化される（タイミングＴ１０）。このタイミングＴ１０に同期して区分１の動作と同様に計測データＰ１２、修正信号Ｐ１３が出力され、時刻情報が修正された時計回路３からモータ制御信号Ｐ３が出力して、モータ駆動部４から図示するようにモータ駆動信号Ｐ４が１パルス出力される。
【０１２６】
ここで、区分４はリュウズ１０が更に速く回転されるので、リュウズ回転検出スイッチＫ３はタイマＴＭ１０が開始後３回ＯＮされる（タイミングＴ１１、Ｔ１２、Ｔ１３）。このタイミングＴ１１での２回目のＯＮでタイマＴＭ１０による計測データＰ１２はプラス１加算されてカウント２の計測データＰ１２が出力され、この計測データＰ１２によって修正量として２パルスの修正信号Ｐ１３が出力する。これにより、タイミングＴ１１でモータ駆動部４から図示するようにモータ駆動信号Ｐ４が２パルス出力される。
【０１２７】
また、タイミングＴ１２での３回目のＯＮでタイマＴＭ１０による計測データＰ１２はプラス１加算されてカウント３の計測データＰ１２が出力され、この計測データＰ１２によって修正量として３パルスの修正信号Ｐ１３が出力する。これにより、タイミングＴ１２でモータ駆動部４から図示するようにモータ駆動信号Ｐ４が３パルス出力される。
【０１２８】
また、タイミングＴ１３での４回目のＯＮでタイマＴＭ１０による計測データＰ１２はプラス１加算されてカウント４の計測データＰ１２が出力される。このタイミングＴ１３で計測データＰ１２がカウント４になったことにより、修正ルーチンのステップＳＴ２０で前述した如く、修正制御部２０は連続運針修正モードに移行するために連続運針準備期間に入り、修正信号発生部２３から所定の間隔で１パルスずつの修正信号Ｐ１３が連続的に出力される。
【０１２９】
これにより、連続運針修正モードでのモータ駆動信号Ｐ４の１／２の周波数の例えば３２Ｈｚのモータ駆動信号Ｐ４が８〜１２パルス出力され、その後、連続運針準備期間は終了する（タイミングＴ１４）。尚、連続運針準備期間の長さは限定されず、仕様に基づいて任意に決められて良く、モータ駆動信号Ｐ４のパルス数も限定されない。また、連続運針準備期間でのモータ駆動信号Ｐ４の周波数は、連続運針修正モードでの駆動周波数と異なっていれば良く、例えば連続運針修正モードでの駆動周波数より高い周波数でも良い。
【０１３０】
次に、連続運針準備期間終了後、タイミングＴ１４で連続運針修正モードが開始される。これにより、修正信号発生部２３から所定の間隔で１パルスずつの修正信号Ｐ１３が連続して出力され、この修正信号Ｐ１３によって時計回路３の時刻情報が連続して修正される。この結果、モータ駆動部４より、例えば周波数６４Ｈｚのモータ駆動信号Ｐ４が連続して出力され、秒針６ａは連続運針される。すなわち、この区分４の連続運針修正モードでは、１パルスの修正信号Ｐ１３が連続して出力されるので、他の区分と比較して最も多い修正量である修正信号Ｐ１３が出力されることになる。
【０１３１】
次に、連続運針修正モードで秒針６ａが連続運針中に、使用者がリュウズ１０を操作してリュウズ回転検出スイッチＫ３、又はＫ４がＯＮされると、修正制御部２０は連続運針修正モードを終了して修正信号Ｐ１３の出力を停止するので、モータ駆動信号Ｐ４は停止し、秒針６ａの連続運針は停止する（タイミングＴ１５）。すなわち、リュウズ１０の１段引き位置での連続運針修正モードでは、使用者がリュウズ１０を操作しなくても秒針６ａが連続運針を継続し、閏年からの経過年と月表示の修正を高速に行うことが出来る。また、使用者が運針状態を見てリュウズ１０を１回操作することによって連続運針を直ちに停止させることが出来る。
【０１３２】
尚、連続運針修正モードに移行する前に所定の期間、連続運針準備期間を設けて連続運針修正モードでのモータ駆動信号Ｐ４の周波数よりも低い周波数のモータ駆動信号Ｐ４を出力する理由は、前述した如く、連続運針修正モードに移行するときに、一時的に運針スピードを遅くして使用者に連続運針修正モードに移行することを知らせるためである。
【０１３３】
このように本実施例では、リュウズ１０の回転状態がタイマ時間内でのリュウズ回転信
号Ｐ８、Ｐ９の発生回数によって計測されるので、回転状態の瞬間的な変化に対して修正量は段階的に変化し、このため、使用者は指針の動きを確認しながらリュウズ１０を操作出来、違和感の無い確実な時刻修正が実現出来る。尚、本実施例のリュウズ１０の１段引き位置での修正では、リュウズ１０の回転状態を示す計測情報に基づいて修正信号Ｐ１３の修正量を４段階に区分して説明したが、４段階の区分には限定されず、区分数は２段階以上で任意に設定して良い。
【０１３４】
尚、区分２、区分３で説明したように、リュウズ１０が速く回転されるとリュウズ回転検出スイッチＫ３、Ｋ４のＯＮの回数が増加し、ＯＮによってスタートするタイマが同時に複数動作する必要があるので、計測部２２は複数のタイマを同時に制御出来る構成が必要である。
【０１３５】
次に図１１に基づいて、電子時計１の使用者がリュウズ１０を２段引き位置にした場合の秒分表示修正モードにおける動作の一例を説明する。図１１において、リュウズ１０が２段引き位置で設定されるタイマは、前述した如く１２０ｍＳであるとする。そして、リュウズ１０の回転状態を示す計測情報に基づいて修正信号Ｐ１３を区分１〜区分３の３段階に区分して説明する。
【０１３６】
すなわち、区分１はリュウズ１０がゆっくり回転されてタイマ時間内でのＯＮ回数が１回の場合（ＯＮ回数：少）である。また区分２は、リュウズ１０がやや速く回転されて６０パルスのモータ駆動信号Ｐ４が出力中にリュウズ回転検出スイッチＫ３が再びＯＮされる場合（ＯＮ回数：中）である。また区分３は、リュウズ１０が速く回転されてタイマ時間内でのＯＮ回数が３回となり、連続運針修正モードに移行する場合である。
【０１３７】
ここで区分１では、使用者がリュウズ１０をゆっくり正転方向に回転し、リュウズ回転検出スイッチＫ３がＯＮされると、リュウズ回転信号Ｐ８が発生する。これにより、計測部２２は１２０ｍＳのタイマＴＭ２０をスタートし、計測データＰ１２はカウント１に初期化される（タイミングＴ２０）。
【０１３８】
このタイミングＴ２０に同期して計測部２２からカウント１の計測データＰ１２が出力され、この計測データＰ１２を入力する修正信号発生部２３から修正量として１パルスの修正信号Ｐ１３が出力される。そして、この修正信号Ｐ１３によって時刻情報が修正された時計回路３からモータ制御信号Ｐ３が出力し、モータ駆動部４から図示するように秒分モータ５ａを駆動する一組として６０パルスで６４Ｈｚのモータ駆動信号Ｐ４が出力される。この６０パルスの出力によって秒針６ａは６０秒進み、分針６ｂは１分進むことになる。
【０１３９】
ここで、区分１はリュウズ１０がゆっくり回転されるので、タイマＴＭ２０の期間中に再びリュウズ回転検出スイッチＫ３がＯＮされることは無く、また、６０パルスのモータ駆動信号Ｐ４の出力中にもリュウズ回転検出スイッチＫ３がＯＮされることは無い。そして、６０パルスのモータ駆動信号Ｐ４の終了後にリュウズ回転検出スイッチＫ３が再びＯＮされる（タイミングＴ２１）。このタイミングＴ２１からタイマＴＭ２１が新たにスタートし、このタイミングＴ２１に同期して再び初期化されたカウント１の計測データＰ１２が出力され、この計測データＰ１２によって修正量として１パルスの修正信号Ｐ１３が出力する。これにより、時刻情報が修正された時計回路３からモータ制御信号Ｐ３が出力し、モータ駆動部４から図示するようにモータ駆動信号Ｐ４が再び６０パルス出力される。
【０１４０】
また、６０パルスのモータ駆動信号Ｐ４の終了後にリュウズ回転検出スイッチＫ３が再びＯＮされる（タイミングＴ２２）。このタイミングＴ２２からタイマＴＭ２２が新たに
スタートし、このタイミングＴ２２に同期して再び初期化されたカウント１の計測データＰ１２が出力され、この計測データＰ１２によって修正量として１パルスの修正信号Ｐ１３が再び出力する。これにより、時刻情報が修正された時計回路３からモータ制御信号Ｐ３が出力し、モータ駆動部４から図示するようにモータ駆動信号Ｐ４が再び６０パルス出力される。
【０１４１】
すなわち、リュウズ１０が２段引き位置での区分１では、リュウズ回転検出スイッチＫ３のＯＮによってスタートするタイマ期間中にリュウズ回転検出スイッチＫ３が再びＯＮされることがないので、計測部２２からの計測データＰ１２はカウント１が継続して出力される。また、６０パルスのモータ駆動信号Ｐ４の出力中にリュウズ回転検出スイッチＫ３がＯＮされることも無い。この結果、リュウズ回転検出スイッチＫ３の１回のＯＮごとに、修正量として１パルスの修正信号Ｐ１３が出力され、この修正信号Ｐ１３によって６０パルスのモータ駆動信号Ｐ４が出力され、秒針６ａは６０秒進み、１分単位での修正が確実に実行される。
【０１４２】
次に区分２では、使用者がリュウズ１０を正転方向にやや速く回転し、リュウズ回転検出スイッチＫ３がＯＮされると、リュウズ回転信号Ｐ８が発生する。これにより、計測部２２は１２０ｍＳのタイマＴＭ２３をスタートし、計測データＰ１２はカウント１に初期化される（タイミングＴ２３）。このタイミングＴ２３に同期して計測データＰ１２が出力され、この計測データＰ１２によって修正量として１パルスの修正信号Ｐ１３が出力される。これにより、時刻情報が修正された時計回路３からモータ制御信号Ｐ３が出力し、モータ駆動部４から図示するようにモータ駆動信号Ｐ４が６０パルス出力される。
【０１４３】
また、区分２はリュウズ１０がやや速く回転されるので、６０パルスのモータ駆動信号Ｐ４が出力中に再びリュウズ回転検出スイッチＫ３がＯＮされると（タイミングＴ２４）、このタイミングＴ２４からタイマＴＭ２４が新たにスタートし、計測データＰ１２は再びカウント１に初期化されて出力し、この計測データＰ１２によって修正量として１パルスの修正信号Ｐ１３が再び出力される。そして、６０パルスのモータ駆動信号Ｐ４の出力が停止後に、この修正信号Ｐ１３によって再び６０パルスのモータ駆動信号Ｐ４が出力される。
【０１４４】
尚、タイマＴＭ２３の時間内にリュウズ回転検出スイッチＫ３がＯＮされてリュウズ回転信号Ｐ８が発生した場合は、計測データＰ１２はプラス１加算されてカウント２の計測データＰ１２が出力される。しかし、修正信号発生部２３は、カウント２の計測データＰ１２を入力しても、図８のフローチャートで前述した如く、１パルスの修正信号Ｐ１３を出力するので、６０パルスのモータ駆動信号Ｐ４の出力が停止後に、再び一組の６０パルスのモータ駆動信号Ｐ４が出力される。
【０１４５】
次に、６０パルスのモータ駆動信号Ｐ４が出力中に再びリュウズ回転検出スイッチＫ３がＯＮされると（タイミングＴ２５）、このタイミングＴ２５からタイマＴＭ２５が新たにスタートし、計測データＰ１２は再びカウント１に初期化されて出力し、この計測データＰ１２によって修正量として１パルスの修正信号Ｐ１３が再び出力される。そして、６０パルスのモータ駆動信号Ｐ４の出力が停止後に、この修正信号Ｐ１３によって再び一組の６０パルスのモータ駆動信号Ｐ４が出力される。
【０１４６】
以降、６０パルスのモータ駆動信号Ｐ４の出力中にリュウズ回転検出スイッチＫ３が１回ずつＯＮされると（タイミングＴ２４、Ｔ２５、Ｔ２７）、モータ駆動信号Ｐ４の出力停止後に、６０パルスのモータ駆動信号Ｐ４が一組ずつ順次出力される。
【０１４７】
すなわち、区分２では６０パルスのモータ駆動信号Ｐ４が出力して秒分モータ５ａが駆
動中に、リュウズ回転検出スイッチＫ３がＯＮされるならば、そのＯＮのタイミングがタイマ時間内であってもタイマ時間外であっても、修正量として１パルスの修正信号Ｐ１３が出力され、この修正信号Ｐ１３によって秒分モータ５ａの駆動終了後に、再び一組の６０パルスのモータ駆動信号Ｐ４が出力される。
【０１４８】
これにより、秒分モータ５ａが駆動中にリュウズ回転検出スイッチＫ３が１回ずつＯＮされ続けるならば、図示するようにモータ駆動信号Ｐ４によって秒分モータ５ａは連続的に駆動され、秒針６ａは連続的な運針が行われる。このため、リュウズ１０の回転状態に合わせた秒分表示の修正が出来るので、使用者の意思に沿った修正が可能となり、使い易い電子時計を提供することが出来る。
【０１４９】
尚、６０パルスのモータ駆動信号Ｐ４による秒分モータ５ａの駆動中に、リュウズ回転検出スイッチＫ３が２回以上ＯＮされた場合（例えば、タイミングＴ２５、Ｔ２６のように）は、前述した如く、２回目以降のＯＮ（タイミングＴ２６）は失効する。この２回目以降のＯＮが受付けられない理由は、後述する連続運針修正モードと区別し、使用者がリュウズ１０の回転操作を停止すれば運針も直ちに停止して、使用者に違和感を与えないようにするためである。
【０１５０】
次に区分３では、使用者がリュウズ１０を正転方向に速く回転し、リュウズ回転検出スイッチＫ３がＯＮされると、リュウズ回転信号Ｐ８が発生する。これにより、計測部２２は１２０ｍＳのタイマＴＭ２８をスタートし、計測データＰ１２はカウント１に初期化され、この計測データＰ１２によって修正量として１パルスの修正信号Ｐ１３が出力される（タイミングＴ２８）。これにより、時刻情報が修正された時計回路３からモータ制御信号Ｐ３が出力し、モータ駆動部４から図示するようにモータ駆動信号Ｐ４が６０パルス出力される。
【０１５１】
ここで、区分３はリュウズ１０が速く回転されるので、リュウズ回転検出スイッチＫ３はタイマＴＭ２８の開始後に２回ＯＮされる（タイミングＴ２９、Ｔ３０）。このタイミングＴ２９での２回目のＯＮでタイマＴＭ２８による計測データＰ１２はプラス１加算されてカウント２の計測データＰ１２が出力される。また、タイミングＴ３０での３回目のＯＮでタイマＴＭ２８による計測データＰ１２は更にプラス１加算されてカウント３の計測データＰ１２が出力される。
【０１５２】
このタイミングＴ３０で計測データＰ１２がカウント３になったことにより、前述した如く、修正制御部２０は連続運針修正モードに移行するために連続運針準備期間に入り、連続運針修正モードでのモータ駆動信号Ｐ４の１／２の周波数の例えば３２Ｈｚのモータ駆動信号Ｐ４を所定の期間出力し、その後、連続運針準備期間を終了する（タイミングＴ３１）。尚、連続運針準備期間の長さは限定されず、仕様に基づいて任意に決めて良く、また、連続運針準備期間でのモータ駆動信号Ｐ４の周波数も限定されない。
【０１５３】
ここで、本実施例では、上記のように連続運針準備期間に入るためには、タイマＴＭ２８内にリュウズ回転検出スイッチＫ３が３回ＯＮした時としている。そして、タイマＴＭ２８内で３回ＯＮするには、リュウズ１０の１回の回転である程度の角度、すなわち、本実施例では前述した如くスイッチ車１５の歯数が１５枚であるので、大体（３６０°÷１５枚）×３＝７２°回転させる必要がある。従って、連続運針修正モードは使用者が連続運針を意図した操作をする時にのみ実行され、誤作動により連続運針修正モードに入らないようにしている。
【０１５４】
次に、連続運針準備期間終了後、タイミングＴ３１で連続運針修正モードが開始される。この連続運針修正モードでは、修正信号発生部２３から所定の間隔で１パルスずつの修
正信号Ｐ１３が連続して出力され、この修正信号Ｐ１３によって時計回路３の分の桁の時刻情報が連続して修正される。この結果、モータ駆動部４より、６０パルスを一組としたモータ駆動信号Ｐ４が例えば６４Ｈｚの周波数で連続して出力され、秒針６ａは連続運針される。すなわち、区分１と区分２では、１個のリュウズ回転信号Ｐ８に対して修正量として１パルスの修正信号Ｐ１３が出力されるが、区分３の連続運針修正モードでは、他の区分と比較して多くの修正量を有する修正信号Ｐ１３が出力されることになる。
【０１５５】
次に、連続運針修正モードで秒針６ａが連続運針中に、使用者がリュウズ１０を操作してリュウズ回転検出スイッチＫ３、又はＫ４がＯＮされると、修正制御部２０は連続運針修正モードを終了し、６０パルスのモータ駆動信号Ｐ４の出力が終了した時点で秒針６ａの連続運針を停止する（タイミングＴ３２）。すなわち、リュウズ１０の２段引き位置での連続運針修正モードでは、使用者がリュウズ１０を操作しなくても秒針６ａが連続運針を継続するので、秒分表示の修正を高速に行うことが出来、また、使用者が運針状態を見てリュウズ１０を１回操作することによって連続運針を直ちに停止させることが出来る。
【０１５６】
尚、タイミングＴ２８で開始される６０パルスのモータ駆動信号Ｐ４は、途中のタイミングＴ３０から連続運針準備期間が入ってモータ駆動信号Ｐ４の周波数は一時的に低くなるが、一組としてのパルス数は６０パルスであり、変化することはない。また、本実施例のリュウズ１０の２段引き位置での修正では、リュウズ１０の回転状態を示す計測情報に基づいて修正信号Ｐ１３を３段階に区分して説明したが、３段階の区分には限定されず、区分数は２段階以上で任意に設定して良い。
【０１５７】
次に図１２に基づいて、電子時計１の使用者がリュウズ１０を通常位置にした場合の時差修正モードにおける時差修正動作の一例を説明する。尚、リュウズ１０の通常位置において、前述した如くプッシュスイッチＳ１を１回ＯＮすることにより、時差修正モードに移行させる。図１２において、リュウズ１０が通常位置で設定されるタイマ時間は、前述した如く２４０ｍＳであるとする。そして、リュウズ１０の回転状態を示す計測情報に基づいて修正信号Ｐ１３を区分１〜区分３の３段階に区分して説明する。尚、区分１〜区分３は、リュウズ１０の２段引き位置での区分と同じである。
【０１５８】
ここで区分１では、使用者がリュウズ１０をゆっくり正転方向に回転し、リュウズ回転検出スイッチＫ３がＯＮされると、リュウズ回転信号Ｐ８が発生する。これにより、計測部２２は２４０ｍＳのタイマＴＭ４０をスタートし、計測データＰ１２はカウント１に初期化される（タイミングＴ４０）。
【０１５９】
このタイミングＴ４０に同期して計測部２２からカウント１の計測データＰ１２が出力され、この計測データＰ１２を入力する修正信号発生部２３から１パルスの修正信号Ｐ１３が出力される。そして、この修正信号Ｐ１３によって時刻情報が修正された時計回路３からモータ制御信号Ｐ３が出力し、モータ駆動部４から図示するように時日モータ５ｂを駆動する一組として２０パルスのモータ駆動信号Ｐ５が出力される。この２０パルスのモータ駆動信号Ｐ５によって時針６ｃは１時間進むことになる。
【０１６０】
ここで、区分１はリュウズ１０がゆっくり回転されるので、タイマＴＭ４０の期間中に再びリュウズ回転検出スイッチＫ３がＯＮされることは無く、また、２０パルスのモータ駆動信号Ｐ５の出力中にもリュウズ回転検出スイッチＫ３がＯＮされることは無い。そして、２０パルスのモータ駆動信号Ｐ５の終了後にリュウズ回転検出スイッチＫ３が再びＯＮされる（タイミングＴ４１）。このタイミングＴ４１からタイマＴＭ４１が新たにスタートし、このタイミングＴ４１に同期して再び初期化されたカウント１の計測データＰ１２が出力され、この計測データＰ１２によって修正量として１パルスの修正信号Ｐ１３が出力する。これにより、時刻情報が修正された時計回路３からモータ制御信号Ｐ３が出力
し、モータ駆動部４から図示するようにモータ駆動信号Ｐ５が再び２０パルス出力される。
【０１６１】
また、２０パルスのモータ駆動信号Ｐ５の終了後にリュウズ回転検出スイッチＫ３が再びＯＮされる（タイミングＴ４２）。このタイミングＴ４２からタイマＴＭ４２が新たにスタートし、このタイミングＴ４２に同期して再び初期化されたカウント１の計測データＰ１２が出力され、この計測データＰ１２によって修正量として１パルスの修正信号Ｐ１３が再び出力する。これにより、時刻情報が修正された時計回路３からモータ制御信号Ｐ３が出力し、モータ駆動部４から図示するようにモータ駆動信号Ｐ５が再び２０パルス出力される。
【０１６２】
すなわち、リュウズ１０が通常位置での区分１では、リュウズ回転検出スイッチＫ３のＯＮによってスタートするタイマ期間中において、リュウズ回転検出スイッチＫ３が再びＯＮされることがないので、計測部２２からの計測データＰ１２はカウント１が継続して出力される。また、２０パルスのモータ駆動信号Ｐ５の出力中にリュウズ回転検出スイッチＫ３がＯＮされることも無い。この結果、リュウズ回転検出スイッチＫ３の１回のＯＮごとに、修正量として１パルスの修正信号Ｐ１３が出力され、この修正信号Ｐ１３によって２０パルスのモータ駆動信号Ｐ５が出力され、時針６ｃは１時間進み、１時間単位での修正が確実に実行される。
【０１６３】
次に区分２では、使用者がリュウズ１０を正転方向にやや速く回転し、リュウズ回転検出スイッチＫ３がＯＮされると、リュウズ回転信号Ｐ８が発生する。これにより、計測部２２は２４０ｍＳのタイマＴＭ４３をスタートし、計測データＰ１２はカウント１に初期化される（タイミングＴ４３）。このタイミングＴ４３に同期して計測データＰ１２が出力され、この計測データＰ１２によって修正量として１パルスの修正信号Ｐ１３が出力される。これにより、時刻情報が修正された時計回路３からモータ制御信号Ｐ３が出力し、モータ駆動部４から図示するようにモータ駆動信号Ｐ５が２０パルス出力される。
【０１６４】
また、区分２はリュウズ１０がやや速く回転されるので、２０パルスのモータ駆動信号Ｐ５が出力中に再びリュウズ回転検出スイッチＫ３がＯＮされると（タイミングＴ４４）、このタイミングＴ４４からタイマＴＭ４４が新たにスタートし、計測データＰ１２は再びカウント１に初期化されて出力し、この計測データＰ１２によって修正量として１パルスの修正信号Ｐ１３が再び出力される。そして、２０パルスのモータ駆動信号Ｐ５の出力が停止後に、この修正信号Ｐ１３によって再び２０パルスのモータ駆動信号Ｐ５が出力される。
【０１６５】
尚、タイマＴＭ４３の時間内にリュウズ回転検出スイッチＫ３がＯＮされてリュウズ回転信号Ｐ８が再び発生した場合は、計測データＰ１２はプラス１加算されてカウント２の計測データＰ１２が出力される。しかし、修正信号発生部２３は、カウント２の計測データＰ１２を入力しても、前述した如く、１パルスの修正信号Ｐ１３を出力するので、２０パルスのモータ駆動信号Ｐ５の出力が停止後に、再び一組の６０パルスのモータ駆動信号Ｐ４が出力される。
【０１６６】
次に、２０パルスのモータ駆動信号Ｐ５が出力中に再びリュウズ回転検出スイッチＫ３がＯＮされると（タイミングＴ４５）、このタイミングＴ４５からタイマＴＭ４５が新たにスタートし、計測データＰ１２は再びカウント１に初期化されて出力し、この計測データＰ１２によって修正量として１パルスの修正信号Ｐ１３が再び出力される。そして、２０パルスのモータ駆動信号Ｐ５の出力が停止後に、この修正信号Ｐ１３によって再び一組の２０パルスのモータ駆動信号Ｐ５が出力される。
【０１６７】
以降、２０パルスのモータ駆動信号Ｐ５の出力中にリュウズ回転検出スイッチＫ３が１回ずつＯＮされると（タイミングＴ４６）、モータ駆動信号Ｐ５の出力停止後に、２０パルスのモータ駆動信号Ｐ５が一組ずつ順次出力される。
【０１６８】
すなわち、区分２では２０パルスのモータ駆動信号Ｐ５が出力して時日モータ５ｂが駆動中に、リュウズ回転検出スイッチＫ３がＯＮされるならば、そのＯＮのタイミングがタイマ時間内であってもタイマ時間外であっても、修正量として１パルスの修正信号Ｐ１３が出力され、この修正信号Ｐ１３によって時日モータ５ｂの駆動終了後に、再び一組の２０パルスのモータ駆動信号Ｐ５が出力される。
【０１６９】
これにより、時日モータ５ｂが駆動中にリュウズ回転検出スイッチＫ３が１回ずつＯＮされ続けるならば、図示するようにモータ駆動信号Ｐ５によって時日モータ５ｂは連続的に駆動され、時針６ｃは連続的な運針が行われる。このため、リュウズ１０の回転状態に合わせた時差の修正が出来るので、使用者の意思に沿った修正が可能となり、使い易い電子時計を提供することが出来る。
【０１７０】
尚、２０パルスのモータ駆動信号Ｐ５による時日モータ５ｂの駆動中に、リュウズ回転検出スイッチＫ３が２回以上ＯＮされた場合は、前述した如く、２回目以降のＯＮは失効する。この２回目以降のＯＮが受付けられない理由は、リュウズ１０の２段引き位置による秒分の修正モードと同様である。
【０１７１】
次に区分３では、使用者がリュウズ１０を正転方向に速く回転し、リュウズ回転検出スイッチＫ３がＯＮされると、リュウズ回転信号Ｐ８が発生する。これにより、計測部２２は２４０ｍＳのタイマＴＭ４７をスタートし、計測データＰ１２はカウント１に初期化され、この計測データＰ１２によって修正量として１パルスの修正信号Ｐ１３が出力される（タイミングＴ４７）。これにより、時刻情報が修正された時計回路３からモータ制御信号Ｐ３が出力し、モータ駆動部４から図示するようにモータ駆動信号Ｐ５が２０パルス出力される。
【０１７２】
ここで、区分３はリュウズ１０が速く回転されるので、リュウズ回転検出スイッチＫ３はタイマＴＭ４７の開始後に２回ＯＮされる（タイミングＴ４８、Ｔ４９）。このタイミングＴ４８での２回目のＯＮでタイマＴＭ４７による計測データＰ１２はプラス１加算されてカウント２の計測データＰ１２が出力される。また、タイミングＴ４９での３回目のＯＮでタイマＴＭ４７による計測データＰ１２は更にプラス１加算されてカウント３の計測データＰ１２が出力される。
【０１７３】
このタイミングＴ４９で計測データＰ１２がカウント３になったことにより、修正制御部２０は連続運針修正モードに移行するために連続運針準備期間に入り、連続運針修正モードでのモータ駆動信号Ｐ５の１／２の周波数の例えば３２Ｈｚのモータ駆動信号Ｐ５を所定の期間出力し、その後、連続運針準備期間を終了する（タイミングＴ５０）。尚、連続運針準備期間の長さは限定されず、仕様に基づいて任意に決めて良く、また、連続運針準備期間でのモータ駆動信号Ｐ５の周波数も限定されない。
【０１７４】
次に、連続運針準備期間終了後、タイミングＴ５０で連続運針修正モードが開始される。この連続運針修正モードでは、修正信号発生部２３から所定の間隔で１パルスずつの修正信号Ｐ１３が連続して出力され、この修正信号Ｐ１３によって時計回路３の時の桁の時刻情報が連続して修正される。この結果、モータ駆動部４より、２０パルスを一組としたモータ駆動信号Ｐ５が例えば６４Ｈｚの周波数で連続して出力され、時針６ｃは連続運針される。
【０１７５】
次に、連続運針修正モードで時針６ｃが連続運針中に、使用者がリュウズ１０を操作してリュウズ回転検出スイッチＫ３、又はＫ４がＯＮされると、修正制御部２０は連続運針修正モードを終了し、２０パルスのモータ駆動信号Ｐ５の出力が終了した時点で時針６ｃの連続運針を停止する（タイミングＴ５１）。すなわち、リュウズ１０の通常位置での連続運針修正モードでは、使用者がリュウズ１０を操作しなくても時針６ｃが連続運針を継続するので、時差表示の修正を高速に行うことが出来、また、使用者が運針状態を見てリュウズ１０を１回操作することによって連続運針を直ちに停止させることが出来る。
【０１７６】
尚、タイミングＴ４７で開始される２０パルスのモータ駆動信号Ｐ５は、途中のタイミングＴ４９から連続運針準備期間が入ってモータ駆動信号Ｐ５の周波数は一時的に低くなるが、一組としてのパルス数は２０パルスであり変化することはない。また、本実施例のリュウズ１０の通常位置での修正では、リュウズ１０の回転状態を示す計測情報に基づいて修正信号Ｐ１３を３段階に区分して説明したが、３段階の区分には限定されず、区分数は２段階以上で任意に設定して良い。
【０１７７】
以上のように本発明の電子時計は、リュウズ１０の軸方向の操作位置に基づいてタイマ時間を可変し、このタイマ時間によって計測されるリュウズ回転信号Ｐ８、Ｐ９の発生回数に応じて時刻情報の修正量を可変するので、リュウズ１０の各操作位置に適した時刻情報の修正量を選択することが可能となり、操作位置によって操作性が異なるリュウズの欠点を補い、メカ式修正のリュウズ操作に近い操作感を得ることが出来る操作に優れた使い易い電子時計を提供することが出来る。
【０１７８】
また特に、リュウズ１０の通常位置は前述した如く操作性が非常に悪いが、本実施例のようにリュウズ１０の回転状態を計測するタイマ時間を長くすることによって、リュウズ１０の回転状態の検出が容易になり、通常位置であっても操作性の悪さを補って、操作し易い電子時計を提供することが出来る。
【実施例２】
【０１７９】
次に本発明の実施例２の電子時計の電気的な構成を図１３に基づいて説明する。尚、実施例２の電子時計の特徴は、リュウズの回転信号の周期をクロック信号によって計測し、時刻計時手段の修正量を可変することにある。また、本実施例の電子時計は、実施例１と同様に標準電波を受信して自動的に時刻修正する電波修正時計であり、実施例１と同一要素には同一番号を付し重複する説明は省略する。
【０１８０】
図１３において、４０は本発明の実施例２の電子時計である。２５は修正制御手段としての修正制御部であり、クロック設定手段としてのクロック設定部２６、計測手段としての周期計測部２７、修正信号発生手段としての修正信号発生部２８を備えている。この修正制御部２５は、リュウズ位置信号Ｐ６、Ｐ７とリュウズ回転信号Ｐ８、Ｐ９とプッシュスイッチ信号Ｐ１０と制御クロック信号Ｐ２を入力する。
【０１８１】
修正制御部２５のクロック設定部２６は、リュウズ位置信号Ｐ６、Ｐ７を入力してリュウズ１０の軸方向の操作位置に応じて周波数が可変されるクロック信号Ｐ１６を出力する。周期計測部２７は、リュウズ回転信号Ｐ８、Ｐ９を入力し、その時間間隔（すなわち、周期）をクロック信号Ｐ１６によって計測して計測情報としての周期計測データＰ１７を出力する。尚、周期計測データＰ１７はリュウズ１０の回転速度に対応する。また、修正信号発生部２８は周期計測データＰ１７を入力し、時計回路３の時刻情報を修正する修正信号Ｐ１３を出力する。尚、他の構成は実施例１と同様であるので説明は省略する。
【０１８２】
次に、本発明の実施例２の電子時計４０の修正動作の概略をフローチャートに基づいて説明する。ここで、本実施例のフローチャートは、図１４で示す計測ルーチン２と、前述
した実施例１の図８で示した修正ルーチンで構成され、実施例１の修正ルーチンと重複する部分の説明は省略する。尚、説明の前提として本実施例の電子時計４０の構成は図１３を参照し、説明する修正動作はリュウズ１０の正転処理とする。
【０１８３】
ここで図１４において、修正制御部２５のクロック設定部２６はリュウズ位置信号Ｐ６を入力してリュウズ位置検出スイッチＳ３がＯＮであるかを判定する（ステップＳＴ４０）。ここで、肯定判定（すなわち、Ｓ３：ＯＮ）であればステップＳＴ４１に進み、否定判定（すなわち、Ｓ３：ＯＦＦ）であればステップＳＴ４２に進む。
【０１８４】
次に、クロック設定部２６はステップＳＴ４０で肯定判定がなされたならば、リュウズ１０は１段引き位置にあるので、閏年からの経過年と月の修正モードに移行し、修正桁として閏年からの経過年と月の桁が選択され、クロック信号Ｐ１６の周波数を例えば２５６Ｈｚとして出力し、次のステップに進む（ステップＳＴ４１）。この閏年からの経過年と月の修正モードでは、リュウズ１０の回転によるリュウズ回転検出スイッチＫ３、Ｋ４のＯＮによって１秒ごとに秒針６ａが駆動され、閏年からの経過年と月が修正される。
【０１８５】
また、クロック設定部２６はステップＳＴ４０で否定判定がなされたならば、リュウズ位置信号Ｐ７を入力してリュウズ位置検出スイッチＳ４がＯＮであるかを判定する（ステップＳＴ４２）。ここで、肯定判定（すなわち、Ｓ４：ＯＮ）であればステップＳＴ４３に進み、否定判定（すなわち、Ｓ４：ＯＦＦ）であればステップＳＴ４４に進む。
【０１８６】
次に、クロック設定部２６はステップＳＴ４２で肯定判定がなされたならば、リュウズ１０は２段引き位置にあるので秒分の修正モードに移行し、修正桁として分の桁が選択され、クロック信号Ｐ１６の周波数を例えば５１２Ｈｚとして出力し、次のステップに進む（ステップＳＴ４３）。この秒分修正モードでは、リュウズ１０の回転によるリュウズ回転検出スイッチＫ３、Ｋ４のＯＮによって秒針６ａが６０パルス（すなわち、６０秒）ずつ駆動される。
【０１８７】
また、クロック設定部２６はステップＳＴ４２で否定判定がなされたならば、リュウズ位置検出スイッチＳ３、Ｓ４は共にＯＦＦであるので、リュウズ１０は通常位置にあると判定する。そして、プッシュスイッチＳ１がＯＮされることにより時差の修正モードに移行し、修正桁として時の桁が選択され、クロック信号Ｐ１６を例えば１２８Ｈｚとして出力し、次のステップに進む（ステップＳＴ４４）。この時差修正モードでは、リュウズ１０の回転によるリュウズ回転検出スイッチＫ３、Ｋ４のＯＮによって時針６ｃが２０パルス（すなわち、１時間）ずつ駆動される。尚、リュウズ１０の操作位置によるクロック信号Ｐ１６の周波数は限定されず、操作上適した周波数に設定されることが好ましい。
【０１８８】
このように、クロック設定部２６は、リュウズ１０の操作位置を検出してクロック信号Ｐ１６の周波数を可変し、また、時刻情報の修正桁を選択する制御を行う。このクロック信号Ｐ１６は、リュウズ回転信号Ｐ８、Ｐ９の周期を計測するクロック信号であり、このクロック信号Ｐ１６の周波数を可変することによって、リュウズ回転信号Ｐ８、Ｐ９の計測条件が可変されることになる。
【０１８９】
ここで、リュウズ１０の通常位置で最も低い周波数を選択する理由は、通常位置では操作性が悪いためにリュウズ１０の回転操作が鈍くなる傾向にあり、リュウズ回転信号Ｐ８、Ｐ９の周期が長くなり易い。このため、低い周波数のクロック信号Ｐ１６でリュウズ回転信号Ｐ８、Ｐ９の周期を計測し、長い周期に対しても確実に計測するためである。また、リュウズ１０の２段引き位置で最も高い周波数を選択する理由は、２段引き位置では操作性が最も良く、リュウズ１０の回転を素早く行うことが出来るので、リュウズ回転信号Ｐ８、Ｐ９の周期が短くなり易い。このため、周波数の高いクロック信号Ｐ１６で計測す
ることによって短い周期でも分解能の低下を防ぎ、他の操作位置との計測上のバランスを図るためである。
【０１９０】
次に修正制御部２５の周期計測部２７は、クロック設定部２６からのクロック信号Ｐ１６を入力し、また、リュウズ回転信号Ｐ８を入力してリュウズ回転検出スイッチＫ３がＯＮされたかを判定する（ステップＳＴ４５）。ここで、肯定判定（すなわち、Ｋ３：ＯＮ）であればリュウズ１０は正転方向に回転されたと判定してステップＳＴ４７に進む。また、否定判定（すなわち、Ｋ３：ＯＦＦ）であればステップＳＴ４６に進む。
【０１９１】
次に周期計測部２７は、ステップＳＴ４５で否定判定がなされたならば、リュウズ回転信号Ｐ９を入力してリュウズ回転検出スイッチＫ４がＯＮされたかを判定する（ステップＳＴ４６）。ここで、肯定判定（すなわち、Ｋ４：ＯＮ）であればリュウズ１０は逆転方向に回転されたので逆転処理へ進む。尚、リュウズ１０の逆転処理は、時刻を遅らせて修正する以外は基本的に正転処理と同様であるので説明は省略する。また、否定判定（すなわち、Ｋ４：ＯＦＦ）であれば、リュウズ回転検出スイッチＫ３、Ｋ４は共にＯＦＦであるので、ステップＳＴ５０へ進む。
【０１９２】
次に周期計測部２７は、ステップＳＴ４５で肯定判定がなされたならば、クロック信号Ｐ１６によって周期計測中であるかを判定する（ステップＳＴ４７）。ここで、肯定判定（すなわち、周期計測中）であれば、リュウズ回転検出スイッチＫ３は周期計測中に再びＯＮされたと判定してステップＳＴ４８に進む。また、否定判定（周期計測停止中）であれば、リュウズ回転検出スイッチＫ３は新規にＯＮされたと判定してステップＳＴ４９に進む。
【０１９３】
次に周期計測部２７は、ステップＳＴ４７で肯定判定がなされたならば、周期計測中にリュウズ回転検出スイッチＫ３がＯＮされたのでクロック信号Ｐ１６のカウント値を周期計測データＰ１７として出力し、内部のカウント値をリセット後、再び周期計測を開始して実施例１で示した修正ルーチンへ進む（ステップＳＴ４８）。
【０１９４】
また、周期計測部２７は、ステップＳＴ４７で否定判定がなされたならば、周期計測停止中にリュウズ回転検出スイッチＫ３がＯＮされた（すなわち、新規にＯＮされた）ので、周期計測データＰ１７のカウント値を零にリセットして出力し、周期計測をスタートさせて実施例１で示した修正ルーチンへ進む（ステップＳＴ４９）。
【０１９５】
また、ステップＳＴ４６で否定判定がなされた場合は、周期計測部２７は、内部のカウント値がオーバーフローしていないかを判定する（ステップＳＴ５０）。この判定は、リュウズ回転検出スイッチＫ３、Ｋ４のＯＦＦが長く続いている（すなわち、リュウズ１０は未操作状態である）ことを検出して周期計測を停止するために行われる。ここで、肯定判定（オーバーフロー有り）であれば次のステップに進み、否定判定（オーバーフロー無し）であれば計測ルーチン２の最初のステップＳＴ４０に戻る。尚、周期計測部２７がオーバーフローとなるカウント値は、リュウズ１０の操作位置に応じて任意に決定して良い。
【０１９６】
次に、ステップＳＴ５０で肯定判定（オーバーフロー有り）がなされたならば、リュウズ１０は未操作状態と認識して周期計測部２７は周期計測を停止し（ステップＳＴ５１）、その後、計測ルーチン２の最初のステップＳＴ４０に戻り、各スイッチの入力判定動作を継続する。ここで、周期計測が停止後、リュウズ回転検出スイッチＫ３がＯＮされた場合は、周期計測データＰ１７は初期化されてカウント０となり、周期測定は再スタートされる。
【０１９７】
次に図８で示した実施例１の修正ルーチンを実施例２に適応して説明する。ここで、実施例２における修正ルーチンは、実施例１での計測データＰ１２の替わりに、周期計測部２７から出力される周期計測データＰ１７が計測情報として用いられる。また、説明の前提として本実施例の電子時計４０の構成は図１３を参照とする。
【０１９８】
ここで図８において、修正制御部２５の修正信号発生部２８は周期計測データＰ１７を入力し、そのカウント値から連続運針修正モードに移行させるかを判定する（ステップＳＴ２０）。ここで、周期計測データＰ１７が例えばカウント１５以下であれば、肯定判定となって連続運針修正モードに移行するステップＳＴ２７に進み、周期計測データＰ１７が例えばカウント１６以上であれば否定判定となって通常の修正動作であるステップＳＴ２１に進む。
【０１９９】
ここで、周期計測データＰ１７がカウント１５であるとすると、クロック信号Ｐ１６が２５６Ｈｚのとき、リュウズ回転信号Ｐ８の周期は約６０ｍＳである。よって、本実施例においてはリュウズ回転信号Ｐ８の周期が約６０ｍＳ以下のとき、電子時計４０は、連続運針修正モードに移行することになる。尚、連続運針修正モードに移行する周期計測データＰ１７のカウント値は限定されず、また、リュウズ１０の操作位置に応じて連続運針修正モードに移行するカウント値は異なる値として良い。
【０２００】
次にステップＳＴ２０で否定判定がなされたならば、修正制御部２５は、モータ駆動部４から図示しない信号を入力してモータ駆動部４がモータ駆動中であるかを判定する（ステップＳＴ２１）。ここで、肯定判定（すなわち、モータ駆動中）であればステップＳＴ２２進み、否定判定（すなわち、モータ停止）であればステップＳＴ２４に進む。尚、モータ駆動中とは、モータ駆動部４が秒分モータ５ａ、又は時日モータ５ｂを駆動しており、表示部６が運針状態であることを示す。
【０２０１】
次にステップＳＴ２１で肯定判定がなされたならば、周期計測部２７はリュウズ回転信号Ｐ８を入力してリュウズ回転検出スイッチＫ３がＯＮされたかを判定する（ステップＳＴ２２）。ここで、肯定判定（すなわち、Ｋ３：ＯＮ）であれば次のステップに進み、否定判定（すなわち、Ｋ３：ＯＦＦ）であればステップＳＴ２１に戻り、モータ駆動中であるかを再び判定する。
【０２０２】
次にステップＳＴ２２で肯定判定がなされたならば、周期計測部２７は周期計測継続中のときは、クロック信号Ｐ１６のカウント値を周期計測データＰ１７として出力する。また、周期計測停止中のときは、周期計測データＰ１７のカウント値を零にリセットして出力し、周期計測をスタートさせる（ステップＳＴ２３）。そして、ステップＳＴ２３の実行後、ステップＳＴ２０に戻り、再び連続運針修正モードへの移行判定を実行する。
【０２０３】
次にステップＳＴ２１で否定判定がなされたならば、モータ駆動部４はモータの駆動を終了しているので、修正制御部２５の修正信号発生部２８は、周期計測部２７から周期計測データＰ１７を入力し、この周期計測データＰ１７に基づいて修正信号Ｐ１３の修正量としてパルス数を設定し、この修正信号Ｐ１３を時計回路３に出力後、次のステップに進む（ステップＳＴ２４）。尚、時計回路３に入力される修正信号Ｐ１３は、時刻情報を修正する修正量と共に、リュウズ１０の操作位置情報に基づいた秒分時などを示す修正桁情報も含まれる。
【０２０４】
ここで、リュウズ１０の１段引き位置での修正の場合は、ステップＳＴ４１で前述した如く、閏年からの経過年と月の修正モードであり、周期計測データＰ１７がカウント０（すなわち、周期計測スタート時）であれば、１パルスの修正信号Ｐ１３が時計回路３の閏年からの経過年と月の桁に出力される。また、周期計測データＰ１７が例えばカウント３
５であれば、２パルスの修正信号Ｐ１３が時計回路３の閏年からの経過年と月の桁に出力され、また、周期計測データＰ１７が例えばカウント２０であれば、３パルスの修正信号Ｐ１３が時計回路３の閏年からの経過年と月の桁に出力される。
【０２０５】
ここで、周期計測データＰ１７のカウント値は、リュウズ回転信号Ｐ８の周期を表しており、そのカウント値が小さいほどリュウズ回転信号Ｐ８の周期は短く、すなわち、リュウズ１０は速く回転している。また、周期計測データＰ１７のカウント値が零であるときは、リュウズ回転検出スイッチＫ３が新規にＯＮされたことを示す。
【０２０６】
また、リュウズ１０の２段引き位置での修正の場合は、ステップＳＴ４３で前述した如く、秒分の修正モードであり、周期計測データＰ１７がカウント０（周期計測スタート時）、または、連続運針修正モードに移行するカウント値より大きければ、分の桁を１ステップ（すなわち１分）進めるために１パルスの修正信号Ｐ１３が時計回路３の分の桁に出力さる。
【０２０７】
また、リュウズ１０の通常位置での修正の場合は、ステップＳＴ４４で前述した如く、時差の修正モードであり、周期計測データＰ１７がカウント０（周期計測スタート時）、または、連続運針修正モードに移行するカウント値より大きければ、時の桁を１ステップ（すなわち１時間）進めるために１パルスの修正信号Ｐ１３が時計回路３の時の桁に出力される。このように、秒分修正モードと時差修正モードでの通常の修正動作は、実施例１と同様に、連続した修正動作は禁止され、連続運針修正モードの修正動作と区別される。
【０２０８】
次に時計回路３は、修正信号発生部２８からの修正信号Ｐ１３を入力し、記憶している時刻情報を修正信号Ｐ１３に従って修正し、修正された時刻情報に対応して秒分モータ５ａ、又は、時日モータ５ｂを駆動するためのモータ制御信号Ｐ３を出力する（ステップＳＴ２５）。  以降、ステップＳＴ２６〜ＳＴ３４は、基本的に実施例１の動作フローと同様であるので説明は省略する。尚、実施例２においては、修正ルーチン終了後は、計測ルーチン２の最初のステップＳＴ４０に戻る。また、実施例１と同様に、各スイッチのＯＮを割り込み処理によって検出し、リュウズ１０が操作されない状態では通常の運針動作以外は、処理を停止していることが消費電力低減のために好ましい。
【０２０９】
次に図１５と図１６のタイミングチャートに基づいて、本発明の実施例２の電子時計４０のリュウズ１段引き位置での閏年からの経過年と月の修正動作の具体例を説明する。尚、説明の前提として、電子時計４０の使用者（図示せず）はリュウズ１０を正転方向に回転して修正するものとする。
【０２１０】
図１５と図１６において、リュウズ１０が１段引き位置で設定されるクロック信号Ｐ１６の周波数は、前述した如く２５６Ｈｚであるとし、このクロック信号Ｐ１６によってリュウズ回転検出スイッチＫ３からのリュウズ回転信号Ｐ８の周期が計測されるものとする。そして、リュウズ１０の回転状態を示す計測情報に基づいて修正信号Ｐ１３の修正量を区分１〜区分４の４段階に区分して説明する。すなわち、区分１はリュウズ１０がゆっくり回転された場合（周期：長）を示し、区分２はリュウズ１０がやや速く回転された場合（周期：中）を示し、区分３はリュウズ１０が速く回転された場合（周期：短）を示す。また区分４は、リュウズ１０が更に速く回転されて連続運針修正モードに移行する場合である。
【０２１１】
ここで区分１では、使用者がリュウズ１０を正転方向にゆっくり回転し、リュウズ回転検出スイッチＫ３がＯＮされると、リュウズ回転信号Ｐ８が発生し、周期計測部２７は２５６Ｈｚのクロック信号Ｐ１６によって周期計測をスタートする（タイミングＴ６０）。このタイミングＴ６０で、周期計測データＰ１７はカウント値が零にリセットされて出力
し、これによって、１パルスの修正信号Ｐ１３が出力され、時刻情報が修正された時計回路３からモータ制御信号Ｐ３が出力し、モータ駆動部４から図示するように秒分モータ５ａを駆動するモータ駆動信号Ｐ４が１パルス出力される。
【０２１２】
ここで、区分１ではリュウズ１０がゆっくり回転されるので、次のリュウズ回転検出スイッチＫ３がＯＮされる前に、周期計測部２７はカウント値がカウント５０となってオーバーフローし、周期計測は停止する。尚、クロック信号Ｐ１６が２５６Ｈｚであるとすれば、カウント５０でオーバーフローになる時間は約１９５ｍＳであるが、このオーバーフローのカウント値は限定されず、仕様に基づいて任意に決定して良い。
【０２１３】
このオーバーフローによる周期計測停止後に、次のリュウズ回転検出スイッチＫ３がＯＮされたならば、周期計測部２７は再び周期計測をスタートする（タイミングＴ６１）。このタイミングＴ６１で、周期計測データＰ１７はカウント値が再び零にリセットされて出力し、これによって、１パルスの修正信号Ｐ１３が出力され、モータ駆動部４から図示するように秒分モータ５ａを駆動するモータ駆動信号Ｐ４が１パルス出力される。
【０２１４】
すなわち区分１では、リュウズ回転信号Ｐ８が発生する間隔が長いので周期計測部２７がオーバーフローし、リュウズ回転検出スイッチＫ３の１回のＯＮごとに１パルスのモータ駆動信号Ｐ４が出力される。これにより、リュウズ１０のゆっくりした回転に合わせて秒針６ａが１秒ステップごとに進み、閏年からの経過年と月の修正がゆっくり確実に実行される。
【０２１５】
次に区分２では、使用者がリュウズ１０を正転方向にやや速く回転し、リュウズ回転検出スイッチＫ３がＯＮされると、リュウズ回転信号Ｐ８が発生し、周期計測部２７は２５６Ｈｚのクロック信号Ｐ１６によって周期計測をスタートする（タイミングＴ６２）。このタイミングＴ６２で、周期計測データＰ１７はカウント値が零にリセットされて出力し、これによって、１パルスの修正信号Ｐ１３が出力され、時刻情報が修正された時計回路３からモータ制御信号Ｐ３が出力し、モータ駆動部４から図示するように秒分モータ５ａを駆動するモータ駆動信号Ｐ４が１パルス出力される。
【０２１６】
ここで、区分２ではリュウズ１０がやや速く回転されるので、次のリュウズ回転検出スイッチＫ３は、例えば周期計測部２７のカウント値がカウント３５となった時点でＯＮされる（タイミングＴ６３）。このタイミングＴ６３で、カウント３５の周期計測データＰ１７が出力され、この周期計測データＰ１７を入力する修正信号発生部２８から２パルスの修正信号Ｐ１３が出力される。これによって、モータ駆動部４から図示するように秒分モータ５ａを駆動するモータ駆動信号Ｐ４が２パルス出力される。
【０２１７】
また、タイミングＴ６３では、周期計測部２７の内部のカウント値が零にリセットされて周期計測が継続する。そして、再びリュウズ回転検出スイッチＫ３がカウント３５となった時点でＯＮされたとすると（タイミングＴ６４）、カウント３５の周期計測データＰ１７が再び出力され、この周期計測データＰ１７を入力する修正信号発生部２８から２パルスの修正信号Ｐ１３が出力される。これによって、モータ駆動部４から図示するように秒分モータ５ａを駆動するモータ駆動信号Ｐ４が２パルス出力される。
【０２１８】
すなわち、区分２では、リュウズ回転検出スイッチＫ３の最初のＯＮで１パルスのモータ駆動信号Ｐ４が出力され、２回目のＯＮ以降は、２パルスごとのモータ駆動信号Ｐ４が出力されるので、秒針６ａは最初に１秒進み、次からは２秒ずつに進むことになり、リュウズ１０の回転に合わせて閏年からの経過年と月の修正が比較的速く実行される。尚、区分２の周期計測データＰ１７の範囲は、例えばカウント３０〜カウント４９とする。
【０２１９】
次に区分３では、使用者がリュウズ１０を正転方向に速く回転し、リュウズ回転検出スイッチＫ３がＯＮされると、リュウズ回転信号Ｐ８が発生し、周期計測部２７は２５６Ｈｚのクロック信号Ｐ１６によって周期計測をスタートする（タイミングＴ７０）。このタイミングＴ７０で、周期計測データＰ１７はカウント値が零にリセットされて出力し、これによって、１パルスの修正信号Ｐ１３が出力され、時刻情報が修正された時計回路３からモータ制御信号Ｐ３が出力し、モータ駆動部４から図示するように秒分モータ５ａを駆動するモータ駆動信号Ｐ４が１パルス出力される。
【０２２０】
ここで、区分３ではリュウズ１０が速く回転されるので、次のリュウズ回転検出スイッチＫ３は、例えば周期計測部２７のカウント値がカウント２０となった時点でＯＮされる（タイミングＴ７１）。このタイミングＴ７１で、カウント２０の周期計測データＰ１７が出力され、この周期計測データＰ１７を入力する修正信号発生部２８から３パルスの修正信号Ｐ１３が出力される。これによって、モータ駆動部４から図示するように秒分モータ５ａを駆動するモータ駆動信号Ｐ４が３パルス出力される。
【０２２１】
また、タイミングＴ７１では、周期計測部２７の内部のカウント値が零にリセットされて周期計測が継続する。そして、再びリュウズ回転検出スイッチＫ３がカウント２０となった時点でＯＮされると（タイミングＴ７２）、カウント２０の周期計測データＰ１７が再び出力され、この周期計測データＰ１７を入力する修正信号発生部２８から３パルスの修正信号Ｐ１３が再び出力される。これによって、モータ駆動部４から図示するように秒分モータ５ａを駆動するモータ駆動信号Ｐ４が３パルス出力される。
【０２２２】
その後、リュウズ回転検出スイッチＫ３が同様なタイミングでＯＮされるならば（タイミングＴ７３以降）、秒分モータ５ａを駆動するモータ駆動信号Ｐ４が３パルスずつ継続して出力されることになる。
【０２２３】
すなわち、区分３では、リュウズ回転検出スイッチＫ３の最初のＯＮで１パルスのモータ駆動信号Ｐ４が出力され、２回目以降のＯＮでは、３パルスのモータ駆動信号Ｐ４が出力されるので、閏年からの経過年と月の修正がリュウズ１０の早い回転に合わせて素速く実行される。尚、区分３の周期計測データＰ１７の範囲は、例えばカウント１６〜カウント２９の範囲とする。
【０２２４】
次に区分４では、使用者がリュウズ１０を正転方向に更に速く回転し、リュウズ回転検出スイッチＫ３がＯＮされると、リュウズ回転信号Ｐ８が発生し、周期計測部２７は２５６Ｈｚのクロック信号Ｐ１６によって周期計測をスタートする（タイミングＴ７４）。このタイミングＴ７４で、周期計測データＰ１７はカウント値が零にリセットされて出力し、これによって、１パルスの修正信号Ｐ１３が出力され、時刻情報が修正された時計回路３からモータ制御信号Ｐ３が出力し、モータ駆動部４から図示するように秒分モータ５ａを駆動するモータ駆動信号Ｐ４が１パルス出力される。
【０２２５】
ここで、区分４ではリュウズ１０が更に速く回転されるので、次のリュウズ回転検出スイッチＫ３は、例えば周期計測部２７のカウント値がカウント１０となった時点でＯＮされる（タイミングＴ７５）。このタイミングＴ７５で、カウント１０の周期計測データＰ１７が出力されることにより、修正ルーチンのステップＳＴ２０で前述した如く、修正制御部２５は連続運針準備期間に入り、修正信号発生部２８から所定の間隔で１パルスずつの修正信号Ｐ１３が連続的に出力される。
【０２２６】
これにより、連続運針修正モードでのモータ駆動信号Ｐ４の１／２の周波数の例えば３２Ｈｚのモータ駆動信号Ｐ４が８〜１２パルス出力され、その後、連続運針準備期間は終了する（タイミングＴ７６）。尚、連続運針準備期間の長さは限定されず、仕様に基づい
て任意に決められて良く、モータ駆動信号Ｐ４のパルス数も限定されるものではない。また、連続運針準備期間でのモータ駆動信号Ｐ４の周波数も限定されない。
【０２２７】
次に、連続運針準備期間終了後、タイミングＴ７６で連続運針修正モードが開始される。これにより、修正信号発生部２８から所定の間隔で１パルスずつの修正信号Ｐ１３が連続して出力され、この修正信号Ｐ１３によって時計回路３の時刻情報が連続して修正される。この結果、モータ駆動部４より、例えば周波数６４Ｈｚのモータ駆動信号Ｐ４が連続して出力され、秒針６ａは連続運針される。
【０２２８】
次に、連続運針修正モードで秒針６ａが連続運針中に、使用者がリュウズ１０を操作してリュウズ回転検出スイッチＫ３、又はＫ４がＯＮされると、修正制御部２５は連続運針修正モードを終了して修正信号Ｐ１３の出力を停止するので、モータ駆動信号Ｐ４は停止し、秒針６ａの連続運針は停止する（タイミングＴ７７）。すなわち、リュウズ１０の１段引き位置での連続運針修正モードでは、使用者がリュウズ１０を操作しなくても秒針６ａが連続運針を継続し、閏年からの経過年と月表示の修正を高速に行うことが出来る。また、使用者が運針状態を見てリュウズ１０を１回操作することによって連続運針を直ちに停止させることが出来る。
【０２２９】
尚、連続運針修正モードに移行する前に所定の期間、連続運針準備期間を設けて連続運針修正モードでのモータ駆動信号Ｐ４の周波数よりも低い周波数のモータ駆動信号Ｐ４を出力する理由は、前述した如く、連続運針修正モードに移行するときに、一時的に運針スピードを遅くして使用者に連続運針修正モードに移行することを知らせるためである。
【０２３０】
このように本実施例の電子時計４０は、リュウズ１０の操作位置に基づいてクロック信号Ｐ１６の周波数を可変し、可変されたクロック信号Ｐ１６によって計測されるリュウズ回転信号Ｐ８、Ｐ９の計測情報に基づいて時刻情報の修正量を可変するので、実施例１と同様に各操作位置に適した時刻情報の修正量を選択することが可能となり、操作位置によって操作性が異なるリュウズの欠点を補い、操作位置に関わりなく操作が容易な使い易い電子時計を提供することが出来る。
【０２３１】
また、本実施例では、リュウズ１０の回転状態がリュウズ回転信号Ｐ８、Ｐ９の周期で計測されるので、回転状態の瞬間的な変化を素早く計測出来、レスポンスの良い時刻修正が実現出来る。また、本実施例において、リュウズ１０の２段引き位置、又は通常位置での修正動作は、基本的に図１５、図１６で示した１段引き位置での修正動作と同様であり、また、モータ駆動信号Ｐ４、Ｐ５の形態は、実施例１で示したリュウズ１０の２段引き位置、又は通常位置での形態と同様であるので説明は省略する。尚、時刻情報の修正量を区分する周期計測部２７のカウント値は限定されず、仕様に基づいて任意に決定して良い。
【０２３２】
以上のように本発明の実施例２の電子時計４０は、リュウズ１０の回転検出をリュウズ回転信号Ｐ８、Ｐ９の周期を計測することによって行うが、時刻修正の基本的動作は実施例１と同様であり、その効果も同様な効果を得ることが出来る。尚、本発明の実施例は指針表示式の電子時計として説明したが、この形態に限定されるものではなく、本発明は、デジタル式電子時計、または、指針表示式／デジタル式混合の電子時計にも適応することが出来る。
【０２３３】
また、本発明の実施例で示したブロック図、説明図、フローチャート、タイミングチャート等は、この構成に限定されるものではなく、本発明の要旨を満たすものであれば、どのような構成であっても良い。また、リュウズの回転状態の計測方法は、本発明の実施例に限定されず、どのような計測方法でも本発明は適応出来る。
【図面の簡単な説明】
【０２３４】
【図１】本発明の実施例１の電子時計の構成を示す回路ブロック図である。
【図２】（ａ）は本発明の実施例１の電子時計の外観とリュウズの操作位置を説明する説明図であり、（ｂ）は本発明の実施例１の閏年からの経過年と月の修正モードを説明する説明図である。
【図３】本発明の実施例１の電子時計のリュウズ周りの構成を示す斜視図である。
【図４】本発明の実施例１の電子時計のリュウズ位置検出スイッチの構成を説明する説明図である。
【図５】本発明の実施例１の電子時計のリュウズ回転検出スイッチの構成を説明する説明図である。
【図６】本発明の実施例１の電子時計のリュウズ回転検出スイッチの作用を説明する説明図である。
【図７】本発明の実施例１の電子時計の修正動作の概略を説明する計測ルーチン１のフローチャートである。
【図８】本発明の実施例１の電子時計の修正動作の概略を説明する修正ルーチンのフローチャートである。
【図９】本発明の実施例１の電子時計のリュウズ１段引き位置での区分１及び区分２の修正動作を説明するタイミングチャートである。
【図１０】本発明の実施例１の電子時計のリュウズ１段引き位置での区分３及び区分４の修正動作を説明するタイミングチャートである。
【図１１】本発明の実施例１の電子時計のリュウズ２段引き位置での修正動作を説明するタイミングチャートである。
【図１２】本発明の実施例１の電子時計のリュウズ通常位置での修正動作を説明するタイミングチャートである。
【図１３】本発明の実施例２の電子時計の構成を示す回路ブロック図である。
【図１４】本発明の実施例２の電子時計の修正動作の概略を説明する計測ルーチン２のフローチャートである。
【図１５】本発明の実施例２の電子時計のリュウズ１段引き位置での区分１及び区分２の修正動作を説明するタイミングチャートである。
【図１６】本発明の実施例２の電子時計のリュウズ１段引き位置での区分３及び区分４の修正動作を説明するタイミングチャートである。
【図１７】従来の指針表示式電子時計のリュウズの操作位置を説明する説明図である。
【符号の説明】
【０２３５】
１、４０  電子時計
２  時間基準源
３  時計回路
４  モータ駆動部
５ａ  秒分モータ
５ｂ  時日モータ
６  表示部
６ａ  秒針
６ｂ  分針
６ｃ  時針
６ｄ  日板
７  外装
８  バンド
９  回路基板
９ａ  基板孔
１０  リュウズ
１１  地板
１２  巻真
１３  おしどり
１４  リュウズ位置スイッチバネ
１４ａ  リュウズ位置スイッチバネ接点部
１５  スイッチ車
１６  中立バネ
１６ａ  中立バネ本体部
１７  リュウズ回転スイッチバネ
１７ａ  リュウズ回転スイッチバネ接点部
１８  ガイド板
１９  ピン
２０、２５  修正制御部
２１  タイマ設定部
２２  計測部
２３、２８  修正信号発生部
２６  クロック設定部
２７  周期計測部
３０  アンテナ
３１  受信部
３２  電波修正部
Ｓ１  プッシュスイッチ
Ｓ３、Ｓ４  リュウズ位置検出スイッチ
Ｋ３、Ｋ４  リュウズ回転検出スイッチ
Ｐ１  １秒信号
Ｐ２  制御クロック信号
Ｐ３  モータ制御信号
Ｐ４、Ｐ５  モータ駆動信号
Ｐ６、Ｐ７  リュウズ位置信号
Ｐ８、Ｐ９  リュウズ回転信号
Ｐ１０  プッシュスイッチ信号
Ｐ１１  タイマ信号
Ｐ１２  計測データ
Ｐ１３  修正信号
Ｐ１４  復調信号
Ｐ１５  標準時刻データ
Ｐ１６  クロック信号
Ｐ１７  周期計測データ  
【図１】
2008134129.tif 000003
【図２】
2008134129.tif 000004
【図３】
2008134129.tif 000005
【図４】
2008134129.tif 000006
【図５】
2008134129.tif 000007
【図６】
2008134129.tif 000008
【図７】
2008134129.tif 000009
【図８】
2008134129.tif 000010
【図９】
2008134129.tif 000011
【図１０】
2008134129.tif 000012
【図１１】
2008134129.tif 000013
【図１２】
2008134129.tif 000014
【図１３】
2008134129.tif 000015
【図１４】
2008134129.tif 000016
【図１５】
2008134129.tif 000017
【図１６】
2008134129.tif 000018
【図１７】
2008134129.tif 000019